(57)【要約】【課題】パスワードを忘れてしまい簡単に思い出せなく、その結果、サービスを利用できなくなる使用上の問題があった。【解決手段】携帯電話１００は、ボタン操作部６より入力された数字や文字を記憶する登録部４と、着信があった時に発呼者の電話番号を抽出する発呼者番号抽出部２、およびこれらを制御する制御部１により構成され、着信時に発呼者番号抽出部により抽出される発呼者の電話番号である発呼者番号と予め登録部に登録されている発呼者番号登録データとを比較し、両者が一致し、さらに、前記発呼者番号と発呼者番号登録データが一致したことによりパスワード確認表示を行わせるための確認指示となる選択番号を入力し、登録部に登録されている選択番号登録データと、入力した選択番号が一致ていることを制御部が判定し、両者のデータが全て一致している場合は表示部３にパスワードを表示する。【選択図】      図１
2004297288.tif 000002
【特許請求の範囲】
【請求項１】
携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、さらにパスワード確認表示を行わせるための確認指示となる選択番号を予め選択番号登録データとしてボタン操作部のボタン操作により入力しておき、着信があった時に発呼者の電話番号を抽出する発呼者番号抽出部と、およびこれらを制御する制御部とにより構成し、携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致し、さらに、前記発呼者番号と発呼者番号登録データが一致したことによりパスワード確認表示を行わせるための確認指示となる選択番号をボタン操作部のボタン操作により入力し、予め登録部に登録されている選択番号登録データと、入力した選択番号が一致ていることを制御部が判定し、両者のデータが全て一致している場合は携帯電話の表示部に登録されているパスワードを表示する制御を行い、パスワードの確認を可能とする一方、両者が一致しなかった場合にはパスワードの確認を無効とすることを特徴とするパスワード確認機能付き携帯電話。
【請求項２】
携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、さらにパスワード確認表示を行わせるための確認指示となる選択番号を予め選択番号登録データとしてボタン操作部のボタン操作により入力しておき、着信があった時に発呼者の電話番号を抽出する発呼者番号抽出部と、およびこれらを制御する制御部とにより構成した携帯電話における携帯電話のパスワード確認方法であって、携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致し、さらに、前記発呼者番号と発呼者番号登録データが一致したことによりパスワード確認表示を行わせるための確認指示となる選択番号をボタン操作部のボタン操作により入力し、予め登録部に登録されている選択番号登録データと、入力した選択番号が一致ていることを制御部が判定し、両者のデータが全て一致している場合は携帯電話の表示部に登録されているパスワードを表示する制御を行い、パスワードの確認を可能とする一方、両者が一致しなかった場合にはパスワードの確認を無効とすることを特徴とする携帯電話におけるパスワード確認方法。
【請求項３】
携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、さらにパスワード確認表示を行わせるための確認指示となる選択番号を予め選択番号登録データとしてボタン操作部のボタン操作により入力しておき、着信があった時に発呼者の電話番号を抽出する発呼者番号抽出部と、およびこれらを制御する制御部とにより構成した携帯電話における携帯電話のパスワード確認処理において、携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致し、さらに、前記発呼者番号と発呼者番号登録データが一致したことによりパスワード確認表示を行わせるための確認指示となる選択番号をボタン操作部のボタン操作により入力し、予め登録部に登録されている選択番号登録データと、入力した選択番号が一致ていることを制御部が判定し、両者のデータが全て一致している場合は携帯電話の表示部に登録されているパスワードを表示する制御を行い、パスワードの確認を可能とする一方、両者が一致しなかった場合にはパスワードの確認を無効とする処理をコンピュータに実行させるためのプログラム。
【請求項４】
携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、さらにパスワード確認表示を行わせるための確認指示となる選択番号を予め選択番号登録データとしてボタン操作部のボタン操作により入力しておき、着信があった時に発呼者の電話番号を抽出する発呼者番号抽出部と、タイマーが定められた時間内にタイムアップした場合制御部に通知し時間に達したことが判る仕組みになっているタイマー部と、着信が継続しているかどうかを状態検出により制御部が判定する無線部と、およびこれらを制御する制御部とにより構成し、携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致し、さらに、前記発呼者番号と発呼者番号登録データが一致したことにより、タイマー部のタイマーを起動しタイマーのタイムアウト内にパスワード確認表示を行わせるための確認指示となる選択番号をボタン操作部のボタン操作により入力し、着信が継続している場合、予め登録部に登録されている選択番号登録データと、入力した選択番号が一致ていることを制御部が判定し、両者のデータが全て一致している場合は携帯電話の表示部に登録されているパスワードを表示する制御を行い、パスワードの確認を可能とする一方、両者が一致しなかった場合、タイマーのタイムアウトした場合、または着信が継続してない場合にはパスワードの確認を無効とすることを特徴とするパスワード確認機能付き携帯電話。
【請求項５】
携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、さらにパスワード確認表示を行わせるための確認指示となる選択番号を予め選択番号登録データとしてボタン操作部のボタン操作により入力しておき、着信があった時に発呼者の電話番号を抽出する発呼者番号抽出部と、タイマーが定められた時間内にタイムアップした場合制御部に通知し時間に達したことが判る仕組みになっているタイマー部と、着信が継続しているかどうかを状態検出により制御部が判定する無線部と、およびこれらを制御する制御部とにより構成し、携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致し、さらに、前記発呼者番号と発呼者番号登録データが一致したことにより、タイマー部のタイマーを起動しタイマーのタイムアウト内にパスワード確認表示を行わせるための確認指示となる選択番号をボタン操作部のボタン操作により入力し、着信が継続している場合、予め登録部に登録されている選択番号登録データと、入力した選択番号が一致ていることを制御部が判定し、両者のデータが全て一致している場合は携帯電話の表示部に登録されているパスワードを表示する制御を行い、パスワードの確認を可能とする一方、両者が一致しなかった場合、タイマーのタイムアウトした場合、または着信が継続してない場合にはパスワードの確認を無効とすることを特徴とするパスワード確認機能付き携帯電話。
【請求項６】
携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、さらにパスワード確認表示を行わせるための確認指示となる選択番号を予め選択番号登録データとしてボタン操作部のボタン操作により入力しておき、着信があった時に発呼者の電話番号を抽出する発呼者番号抽出部と、タイマーが定められた時間内にタイムアップした場合制御部に通知し時間に達したことが判る仕組みになっているタイマー部と、着信が継続しているかどうかを状態検出により制御部が判定する無線部と、およびこれらを制御する制御部とにより構成した携帯電話における携帯電話のパスワード確認方法であって、携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致し、さらに、前記発呼者番号と発呼者番号登録データが一致したことにより、タイマー部のタイマーを起動しタイマーのタイムアウト内にパスワード確認表示を行わせるための確認指示となる選択番号をボタン操作部のボタン操作により入力し、着信が継続している場合、予め登録部に登録されている選択番号登録データと、入力した選択番号が一致ていることを制御部が判定し、両者のデータが全て一致している場合は携帯電話の表示部に登録されているパスワードを表示する制御を行い、パスワードの確認を可能とする一方、両者が一致しなかった場合、タイマーのタイムアウトした場合、または着信が継続してない場合にはパスワードの確認を無効とすることを特徴とする携帯電話におけるパスワード確認方法。
【請求項７】
携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、さらにパスワード確認表示を行わせるための確認指示となる選択番号を予め選択番号登録データとしてボタン操作部のボタン操作により入力しておき、着信があった時に発呼者の電話番号を抽出する発呼者番号抽出部と、タイマーが定められた時間内にタイムアップした場合制御部に通知し時間に達したことが判る仕組みになっているタイマー部と、着信が継続しているかどうかを状態検出により制御部が判定する無線部と、およびこれらを制御する制御部とにより構成した携帯電話における携帯電話のパスワード確認処理において、携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致し、さらに、前記発呼者番号と発呼者番号登録データが一致したことにより、タイマー部のタイマーを起動しタイマーのタイムアウト内にパスワード確認表示を行わせるための確認指示となる選択番号をボタン操作部のボタン操作により入力し、着信が継続している場合、予め登録部に登録されている選択番号登録データと、入力した選択番号が一致ていることを制御部が判定し、両者のデータが全て一致している場合は携帯電話の表示部に登録されているパスワードを表示する制御を行い、パスワードの確認を可能とする一方、両者が一致しなかった場合、タイマーのタイムアウトした場合、または着信が継続してない場合にはパスワードの確認を無効とする処理をコンピュータに実行させるためのプログラム。
【請求項８】
携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、着信があった時に発呼者の電話番号を抽出する発呼者番号抽出部と、およびこれらを制御する制御部とにより構成し、携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致した場合は携帯電話の表示部に登録されているパスワードを表示する制御を行い、パスワードの確認を可能とする一方、両者が一致しなかった場合にはパスワードの確認を無効とすることを特徴とするパスワード確認機能付き携帯電話。
【請求項９】
携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、着信があった時に発呼者の電話番号を抽出する発呼者番号抽出部と、およびこれらを制御する制御部とにより構成した携帯電話における携帯電話のパスワード確認方法であって、携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致した場合は携帯電話の表示部に登録されているパスワードを表示する制御を行い、パスワードの確認を可能とする一方、両者が一致しなかった場合にはパスワードの確認を無効とすることを特徴とする携帯電話におけるパスワード確認方法。
【請求項１０】
携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、着信があった時に発呼者の電話番号を抽出する発呼者番号抽出部と、およびこれらを制御する制御部とにより構成した携帯電話における携帯電話のパスワード確認処理において、携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致した場合は携帯電話の表示部に登録されているパスワードを表示する制御を行い、パスワードの確認を可能とする一方、両者が一致しなかった場合にはパスワードの確認を無効とする処理をコンピュータに実行させるためのプログラム。
【請求項１１】
携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、着信があった時に発呼者の電話番号を抽出する発呼者番号抽出部と、およびこれらを制御する制御部とにより構成し、携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致した着信回数を制御部は計数しておき、発呼者番号と発呼者番号登録データが一致した予め決められた着信回数になった場合に携帯電話の表示部に登録されているパスワードを表示する制御を行い、パスワードの確認を可能とする一方、両者が一致しなかった場合にはパスワードの確認を無効とすることを特徴とするパスワード確認機能付き携帯電話。
【請求項１２】
携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、着信があった時に発呼者の電話番号を抽出する発呼者番号抽出部と、およびこれらを制御する制御部とにより構成した携帯電話における携帯電話のパスワード確認方法であって、携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致した着信回数を制御部は計数しておき、発呼者番号と発呼者番号登録データが一致した予め決められた着信回数になった場合に携帯電話の表示部に登録されているパスワードを表示する制御を行い、パスワードの確認を可能とする一方、両者が一致しなかった場合にはパスワードの確認を無効とすることを特徴とする携帯電話におけるパスワード確認方法。
【請求項１３】
携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、着信があった時に発呼者の電話番号を抽出する発呼者番号抽出部と、およびこれらを制御する制御部とにより構成した携帯電話における携帯電話のパスワード確認処理において、携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致した着信回数を制御部は計数しておき、発呼者番号と発呼者番号登録データが一致した予め決められた着信回数になった場合に携帯電話の表示部に登録されているパスワードを表示する制御を行い、パスワードの確認を可能とする一方、両者が一致しなかった場合にはパスワードの確認を無効とする処理をコンピュータに実行させるためのプログラム。
【請求項１４】
携帯電話を、パスワードを表示する表示部と、ボタン操作部と、ボタン操作部のボタン操作により入力された数字や文字を記憶する登録部と、登録部には予め電話を掛ける相手の発信先の特定の電話番号に対応する発信先電話番号を発信先電話番号登録データとしてボタン操作部のボタン操作により入力しておき、およびこれらを制御する制御部とにより構成し、予め登録部に記憶された発信先電話番号登録データの特定の電話番号に電話を掛けた場合、制御部は発信先電話番号と予め登録部に登録されている発信先電話番号登録データとを比較し、発信先電話番号と発信先電話番号登録データが一致した場合は携帯電話の表示部に登録されているパスワードを表示する制御を行い、パスワードの確認を可能とする一方、両者が一致しなかった場合にはパスワードの確認を無効とすることを特徴とするパスワード確認機能付き携帯電話。
【請求項１５】
携帯電話を、パスワードを表示する表示部と、ボタン操作部と、ボタン操作部のボタン操作により入力された数字や文字を記憶する登録部と、登録部には予め電話を掛ける相手の発信先の特定の電話番号に対応する発信先電話番号を発信先電話番号登録データとしてボタン操作部のボタン操作により入力しておき、およびこれらを制御する制御部とにより構成した携帯電話における携帯電話のパスワード確認方法であって、予め登録部に記憶された発信先電話番号登録データの特定の電話番号に電話を掛けた場合、制御部は発信先電話番号と予め登録部に登録されている発信先電話番号登録データとを比較し、発信先電話番号と発信先電話番号登録データが一致した場合は携帯電話の表示部に登録されているパスワードを表示する制御を行い、パスワードの確認を可能とする一方、両者が一致しなかった場合にはパスワードの確認を無効とすることを特徴とする携帯電話におけるパスワード確認方法。
【請求項１６】
携帯電話を、パスワードを表示する表示部と、ボタン操作部と、ボタン操作部のボタン操作により入力された数字や文字を記憶する登録部と、登録部には予め電話を掛ける相手の発信先の特定の電話番号に対応する発信先電話番号を発信先電話番号登録データとしてボタン操作部のボタン操作により入力しておき、およびこれらを制御する制御部とにより構成した携帯電話における携帯電話のパスワード確認処理において、予め登録部に記憶された発信先電話番号登録データの特定の電話番号に電話を掛けた場合、制御部は発信先電話番号と予め登録部に登録されている発信先電話番号登録データとを比較し、発信先電話番号と発信先電話番号登録データが一致した場合は携帯電話の表示部に登録されているパスワードを表示する制御を行い、パスワードの確認を可能とする一方、両者が一致しなかった場合にはパスワードの確認を無効とする処理をコンピュータに実行させるためのプログラム。
【請求項１７】
携帯電話を、パスワードを表示する表示部と、ボタン操作部と、ボタン操作部のボタン操作により入力された数字や文字を記憶する登録部と、登録部には予め電話を掛ける相手の発信先の特定の電話番号に対応する発信先電話番号を発信先電話番号登録データとしてボタン操作部のボタン操作により入力しておき、およびこれらを制御する制御部とにより構成し、予め登録部に記憶された発信先電話番号登録データの特定の電話番号に電話を掛けた場合、制御部は発信先電話番号と予め登録部に登録されている発信先電話番号登録データとを比較し、発信先電話番号と発信先電話番号登録データが一致した発信回数を制御部は計数しておき、発信先電話番号と発信先電話番号登録データが一致した予め決められた発信回数になった場合に携帯電話の表示部に登録されているパスワードを表示する制御を行い、パスワードの確認を可能とする一方、両者が一致しなかった場合にはパスワードの確認を無効とすることを特徴とするパスワード確認機能付き携帯電話。
【請求項１８】
携帯電話を、パスワードを表示する表示部と、ボタン操作部と、ボタン操作部のボタン操作により入力された数字や文字を記憶する登録部と、登録部には予め電話を掛ける相手の発信先の特定の電話番号に対応する発信先電話番号を発信先電話番号登録データとしてボタン操作部のボタン操作により入力しておき、およびこれらを制御する制御部とにより構成した携帯電話における携帯電話のパスワード確認方法であって、予め登録部に記憶された発信先電話番号登録データの特定の電話番号に電話を掛けた場合、制御部は発信先電話番号と予め登録部に登録されている発信先電話番号登録データとを比較し、発信先電話番号と発信先電話番号登録データが一致した発信回数を制御部は計数しておき、発信先電話番号と発信先電話番号登録データが一致した予め決められた発信回数になった場合に携帯電話の表示部に登録されているパスワードを表示する制御を行い、パスワードの確認を可能とする一方、両者が一致しなかった場合にはパスワードの確認を無効とすることを特徴とする携帯電話におけるパスワード確認方法。
【請求項１９】
携帯電話を、パスワードを表示する表示部と、ボタン操作部と、ボタン操作部のボタン操作により入力された数字や文字を記憶する登録部と、登録部には予め電話を掛ける相手の発信先の特定の電話番号に対応する発信先電話番号を発信先電話番号登録データとしてボタン操作部のボタン操作により入力しておき、およびこれらを制御する制御部とにより構成した携帯電話における携帯電話のパスワード確認処理において、予め登録部に記憶された発信先電話番号登録データの特定の電話番号に電話を掛けた場合、制御部は発信先電話番号と予め登録部に登録されている発信先電話番号登録データとを比較し、発信先電話番号と発信先電話番号登録データが一致した発信回数を制御部は計数しておき、発信先電話番号と発信先電話番号登録データが一致した予め決められた発信回数になった場合に携帯電話の表示部に登録されているパスワードを表示する制御を行い、パスワードの確認を可能とする一方、両者が一致しなかった場合にはパスワードの確認を無効とする処理をコンピュータに実行させるためのプログラム。
【請求項２０】
携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、さらに登録部には予め電話を掛ける相手の発信先の特定の電話番号に対応する発信先電話番号を発信先電話番号登録データとしてボタン操作部のボタン操作により入力しておき、着信があった時に発呼者の電話番号を抽出する発呼者番号抽出部と、およびこれらを制御する制御部とにより構成し、初め携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致し、次に予め登録部に記憶された発信先電話番号登録データの特定の電話番号に電話を掛けた場合、制御部は発信先電話番号と予め登録部に登録されている発信先電話番号登録データとを比較し、発信先電話番号と発信先電話番号登録データが一致した場合は、携帯電話の表示部に登録されているパスワードを表示する制御を行い、パスワードの確認を可能とする一方、両者が一致しなかった場合、または発呼者番号と発呼者番号登録データが一致し次に発信先電話番号と発信先電話番号登録データが一致する着信接続と発信接続がなかった場合にはパスワードの確認を無効とすることを特徴とするパスワード確認機能付き携帯電話。
【請求項２１】
携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、さらに登録部には予め電話を掛ける相手の発信先の特定の電話番号に対応する発信先電話番号を発信先電話番号登録データとしてボタン操作部のボタン操作により入力しておき、着信があった時に発呼者の電話番号を抽出する発呼者番号抽出部と、およびこれらを制御する制御部とにより構成した携帯電話における携帯電話のパスワード確認方法であって、初め携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致し、次に予め登録部に記憶された発信先電話番号登録データの特定の電話番号に電話を掛けた場合、制御部は発信先電話番号と予め登録部に登録されている発信先電話番号登録データとを比較し、発信先電話番号と発信先電話番号登録データが一致した場合は、携帯電話の表示部に登録されているパスワードを表示する制御を行い、パスワードの確認を可能とする一方、両者が一致しなかった場合、または発呼者番号と発呼者番号登録データが一致し次に発信先電話番号と発信先電話番号登録データが一致する着信接続と発信接続がなかった場合にはパスワードの確認を無効とするにはパスワードの確認を無効とすることを特徴とする携帯電話におけるパスワード確認方法。
【請求項２２】
携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、さらに登録部には予め電話を掛ける相手の発信先の特定の電話番号に対応する発信先電話番号を発信先電話番号登録データとしてボタン操作部のボタン操作により入力しておき、着信があった時に発呼者の電話番号を抽出する発呼者番号抽出部と、およびこれらを制御する制御部とにより構成した携帯電話における携帯電話のパスワード確認処理において、初め携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致し、次に予め登録部に記憶された発信先電話番号登録データの特定の電話番号に電話を掛けた場合、制御部は発信先電話番号と予め登録部に登録されている発信先電話番号登録データとを比較し、発信先電話番号と発信先電話番号登録データが一致した場合は、携帯電話の表示部に登録されているパスワードを表示する制御を行い、パスワードの確認を可能とする一方、両者が一致しなかった場合、または発呼者番号と発呼者番号登録データが一致し次に発信先電話番号と発信先電話番号登録データが一致する着信接続と発信接続がなかった場合にはパスワードの確認を無効とする処理をコンピュータに実行させるためのプログラム。
【請求項２３】
携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、さらに登録部には予め電話を掛ける相手の発信先の特定の電話番号に対応する発信先電話番号を発信先電話番号登録データとしてボタン操作部のボタン操作により入力しておき、着信があった時に発呼者の電話番号を抽出する発呼者番号抽出部と、およびこれらを制御する制御部とにより構成し、初め携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致し、次に予め登録部に記憶された発信先電話番号登録データの特定の電話番号に電話を掛けた場合、制御部は発信先電話番号と予め登録部に登録されている発信先電話番号登録データとを比較し、発信先電話番号と発信先電話番号登録データが一致する着信発信回数を制御部は計数しておき、発呼者番号と発呼者番号登録データが一致し次に発信先電話番号と発信先電話番号登録データが一致する予め決められた着信発信回数になった場合に携帯電話の表示部に登録されているパスワードを表示する制御を行い、パスワードの確認を可能とする一方、両者が一致しなかった場合、または発呼者番号と発呼者番号登録データが一致し次に発信先電話番号と発信先電話番号登録データが一致する交互に一致する着信接続と発信接続が連続しなかったがなかった場合にはパスワードの確認を無効とすることを特徴とするパスワード確認機能付き携帯電話。
【請求項２４】
携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、さらに登録部には予め電話を掛ける相手の発信先の特定の電話番号に対応する発信先電話番号を発信先電話番号登録データとしてボタン操作部のボタン操作により入力しておき、着信があった時に発呼者の電話番号を抽出する発呼者番号抽出部と、およびこれらを制御する制御部とにより構成した携帯電話における携帯電話のパスワード確認方法であって、初め携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致し、次に予め登録部に記憶された発信先電話番号登録データの特定の電話番号に電話を掛けた場合、制御部は発信先電話番号と予め登録部に登録されている発信先電話番号登録データとを比較し、発信先電話番号と発信先電話番号登録データが一致する着信発信回数を制御部は計数しておき、発呼者番号と発呼者番号登録データが一致し次に発信先電話番号と発信先電話番号登録データが一致する予め決められた着信発信回数になった場合に携帯電話の表示部に登録されているパスワードを表示する制御を行い、パスワードの確認を可能とする一方、両者が一致しなかった場合、または発呼者番号と発呼者番号登録データが一致し次に発信先電話番号と発信先電話番号登録データが一致する交互に一致する着信接続と発信接続が連続しなかったがなかった場合にはパスワードの確認を無効とすることを特徴とする携帯電話におけるパスワード確認方法。
【請求項２５】
携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、さらに登録部には予め電話を掛ける相手の発信先の特定の電話番号に対応する発信先電話番号を発信先電話番号登録データとしてボタン操作部のボタン操作により入力しておき、着信があった時に発呼者の電話番号を抽出する発呼者番号抽出部と、およびこれらを制御する制御部とにより構成した携帯電話における携帯電話のパスワード確認処理において、初め携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致し、次に予め登録部に記憶された発信先電話番号登録データの特定の電話番号に電話を掛けた場合、制御部は発信先電話番号と予め登録部に登録されている発信先電話番号登録データとを比較し、発信先電話番号と発信先電話番号登録データが一致する着信発信回数を制御部は計数しておき、発呼者番号と発呼者番号登録データが一致し次に発信先電話番号と発信先電話番号登録データが一致する予め決められた着信発信回数になった場合に携帯電話の表示部に登録されているパスワードを表示する制御を行い、パスワードの確認を可能とする一方、両者が一致しなかった場合、または発呼者番号と発呼者番号登録データが一致し次に発信先電話番号と発信先電話番号登録データが一致する交互に一致する着信接続と発信接続が連続しなかったがなかった場合にはパスワードの確認を無効とする処理をコンピュータに実行させるためのプログラム。
【発明の詳細な説明】
【０００１】
【発明の属する技術分野】
本発明はパスワード確認機能付き携帯電話と携帯電話におけるパスワード確認方法およびプログラムに関し、特に携帯電話を利用する上で機密保護の手段として一般的に広く用いられているパスワードを用いた照合方法において、機密性を損ねることなく容易な方法により携帯電話に登録されているパスワードを確認することが可能となる機能を提供することで、使用上における便宜性の改善をはかることを目的とした、パスワード確認機能付き携帯電話と携帯電話におけるパスワード確認方法およびプログラムに関する。
【０００２】
【従来の技術】
従来、携帯電話の機密保護の手段として、パスワードによる照合方法が一般的に利用されている。
【０００３】
パスワードは一般的に数字やアルファベットの組合せであるため、自分の電話番号や誕生日または名前のように覚えやすい数字やアルファベットとすることが多いが、この方法は第三者に見破られやすい欠点がある。
【０００４】
これを避けるため、全くユニークな数字やアルファベットの組合せとすることが不正使用防止に効果的な対策方法である。
【０００５】
ところで携帯電話に限らずこのパスワードによる照合方法は他の多くのサービスに利用されているため、使用者がパスワードをユニークな数字やアルファベットとした場合、設定したパスワードを忘れてしまう可能性が高く、その結果それらのサービスを利用できなくなる使用上の問題があった。
【０００６】
この対策のためには、設定したパスワードが簡単に確認できることが一つの解決方法であるが、パスワードが安易に確認できてしまうとパスワードの機密性が損なわれる欠点が発生する。
【０００７】
従来の技術として、特開２０００−３１６０５０号公報がある（特許文献１参照。）。
【０００８】
これは、ユーザが設定したパスワードの情報を電話をかけてきた発呼者が正しく入力できた場合のみ着信報知動作を行って着信を知らせることでユーザの状況に応じて電話を掛けてきて良い人を選別できる携帯電話機および着信者識別方法を提供することを課題とする。
【０００９】
電話番号、氏名、およびパスワードの情報を関連づけて登録するための手段と、着信時に着信した相手にパスワードの情報の入力を要求する手段と、前記着信した相手が前記パスワード情報の入力要求に応じて送信してきたパスワードの情報と前記メモリ部内に登録されているパスワードの情報を照合する手段と、前記パスワード情報の照合の結果としてパスワードが一致した場合のみ着信報知動作を行い、パスワードが不一致の場合には着信報知動作を行わずに回線を切ることで着信相手を選別する着信相手選別モードを実行する手段を有する。
【００１０】
これは、携帯電話技術に係り、特にユーザが設定したパスワードの情報を電話をかけてきた発呼者が正しく入力できた場合のみ着信報知動作を行って着信を知らせることでユーザの状況に応じて電話をかけてきて良い人を選別するための着信相手の選別機能を備えた携帯電話機および着信者識別方法に関する。
【００１１】
従来、携帯電話機では、かかってきた（着呼する）すべての電話に対して着信報知動作を行うか、またはすべての着信報知動作を停止させてしまうかといった二者択一的な着信モードが用意されている。
【００１２】
その理由は、相手が何者かを電話に出る前に知る手段が無いためである。このことは、電話を受ける側が電話に出られない、かつある「特定の人」ならばすぐに電話に出なければならない特別な状況にある時には非常に大きな問題となる。
【００１３】
例えば、ある商品の商談のために客先へ出向いており、その時刻と並行してライバル社の商品情報（性能、価格など）を部下に調査させているというシーンを考えてみると、このようなシーンでは、ライバル商品の情報をいち早く掴むことで自社の商品の売り込み方（商品アピールや値引き率）に変化をつけなければならない。しかし、部下からの連絡を受けるためには携帯電話機の電源を入れておかなければならないが、いつその連絡が来るのかわからないし、また、別の人間からの電話がかかってきて商談の邪魔をされては困る。
【００１４】
このような場合、電話がかかってきたら電話に出る前に電話の相手が誰かを選別することが可能であれば良い。このような従来技術としては、例えば、特開平１０−１３６４１９号公報に記載のものがある。
【００１５】
すなわち、従来技術は、呼出パスワードを忘れないようにし、パスワードが一致しないメッセージの呼び出しがあるとき、この呼び出しを制限できるようにするために、個人の名前、住所、電話番号等のデータを記憶することができる電話帳機能を有し、受信機携帯者がパスワードによる呼出制御機能を設定後、受信したメッセージの中に４桁以上の数字データが存在する場合、その下４桁を電話帳データの電話番号から検索し、一致するものが存在する場合のみ、スピーカアラート音による呼出動作を行う。
【００１６】
このような従来技術では、ユーザがパスワードによる呼出制御部を設定すると、受信メッセージに電話番号を示す数字データが含まれており、かつ、電話帳機能にその電話番号が登録されている場合のみ、スピーカアラート音による呼出動作を行うため、パスワードによる呼出制御機能設定中はユーザにとって不必要な人からのメッセージは、スピーカアラート音による呼出動作を行わないよう、ユーザ自身が呼出動作の制御を行うことができること、また、呼出動作制御のパスワードを電話帳データ中の電話番号とすることにより、メッセージを送る人は、受信機携帯者の無線選択呼出受信機のパスワードが自分の電話番号であるため、パスワードを忘れないようにすることができるので、ユーザにとって便利になること、さらに、ユーザがパスワード呼出制御機能を設定すると、受信メッセージに電話番号を示す数字データが含まれていない時、または電話帳機能にその電話番号が登録されていない場合は、受信したことを全く報知せず、受信メッセージもメモリに記憶させないで、ユーザが設定することができることが開示されている。
【００１７】
解決しようとする課題として、しかしながら、従来技術は、電話番号メモリに登録された電話機のみに対して着信報知動作をするものの、「電話機」の選別しているだけであり、電話をかけてきた「人間」を確認・選別しているものではないという問題点があった。
【００１８】
また、従来技術の携帯電話機ではかかってきた電話に一度出なければ、電話をかけてきた相手が誰かわからないため、特定の人のみの電話だけを受けたいという状況にある場合、ユーザは非常に不便を強いられるという問題点もあった。
【００１９】
また、従来技術の携帯電話機では、登録されている電話番号の情報より電話をかけてきた相手がわかると思われがちだが、実際には電話機が特定できるだけであり、電話をかけている人間の特定をしているわけではないという問題点もあった。また、相手が携帯電話や自宅、オフィスなどの携帯電話機に登録されている所以外から電話をかけてくると電話に出ない限り相手が特定できないという問題点もあった。
【００２０】
例えば、外出先の電話や公衆電話からかけてくるなどの場合である。ところで、留守番電話サービスを利用すれば、用件を受け取ることは可能だが、リアルタイムで内容を把握できないため、緊急時にはあまり役に立たないという問題点もあった。
【００２１】
この携帯電話機および着信者識別方法は斯かる問題点を鑑みてなされたものであり、その目的とするところは、ユーザが設定したパスワードの情報を電話をかけてきた発呼者が正しく入力できた場合のみ着信報知動作を行って着信を知らせることでユーザの状況に応じて電話をかけてきて良い人を選別するための着信相手の選別機能を備えた携帯電話機および着信者識別方法を提供する点にある。
【００２２】
課題を解決するための手段として、第１の携帯電話機は、ユーザが設定したパスワードの情報を電話をかけてきた発呼者が正しく入力できた場合のみ着信報知動作を行って着信を知らせることでユーザの状況に応じて電話をかけてきて良い人を選別するための着信相手の選別機能を備えた携帯電話機であって、電話番号、氏名、およびパスワードの情報を関連づけて登録するための手段と、着信時に着信した相手にパスワードの情報の入力を要求する手段と、前記着信した相手が前記パスワード情報の入力要求に応じて送信してきたパスワードの情報と前記メモリ部内に登録されているパスワードの情報を照合する手段と、前記パスワード情報の照合の結果としてパスワードが一致した場合のみ着信報知動作を行い、パスワードが不一致の場合には着信報知動作を行わずに回線を切ることで着信相手を選別する着信相手選別モードを実行する手段を有することを特徴とする携帯電話機に存する。
【００２３】
また第２の携帯電話機は、前記着信相手選別モードの待ち受け時に着信報知動作をさせるのに必要なパスワードの情報があらかじめ複数記憶されていることを特徴とする第１の携帯電話機に存する。
【００２４】
また第３の携帯電話機は、前記着信相手選別モードの待ち受け時に着信報知動作をさせるのに必要なパスワードの情報を、あらかじめ登録された電話番号毎に設定する手段を有することを特徴とする第１の携帯電話機に存する。
【００２５】
また第４の携帯電話機は、前記着信相手選別モードの待ち受け時に、着信報知動作を起動するために必要なパスワードの情報および／またはあらかじめ登録された電話番号毎に着信報知手段を任意に設定する手段を有することを特徴とする第１の携帯電話機ないし第３の携帯電話機のいずれかに記載の携帯電話機に存する。
【００２６】
また第５の携帯電話機は、前記着信相手選別モードの待ち受け時に着呼した電話相手に対して聞かせるメッセージをあらかじめ設定する手段と、前記着信相手選別モードの待ち受け時に着呼した電話相手に対して前記あらかじめ設定したメッセージを送信する手段を有することを特徴とする第１の携帯電話機ないし第４の携帯電話機のいずれかに記載の携帯電話機に存する。
【００２７】
また第１の着信者識別方法は、ユーザが設定したパスワードの情報を電話をかけてきた発呼者が正しく入力できた場合のみ着信報知動作を行って着信を知らせることでユーザの状況に応じて電話をかけてきて良い人を選別するための着信相手の選別機能を備えた着信者識別方法であって、電話番号、氏名、およびパスワードの情報を関連づけて登録するための工程と、着信時に着信した相手にパスワードの情報の入力を要求する工程と、前記着信した相手が前記パスワード情報の入力要求に応じて送信してきたパスワードの情報と前記メモリ部内に登録されているパスワードの情報を照合する工程と、前記パスワード情報の照合の結果としてパスワードが一致した場合のみ着信報知動作を行い、パスワードが不一致の場合には着信報知動作を行わずに回線を切ることで着信相手を選別する着信相手選別モードを実行する工程を有することを特徴とする着信者識別方法に存する。
【００２８】
また第２の着信者識別方法は、前記着信相手選別モードの待ち受け時に着信報知動作をさせるのに必要なパスワードの情報があらかじめ複数記憶されていることを特徴とする第１の着信者識別方法記載の着信者識別方法に存する。
【００２９】
また第３の着信者識別方法は、前記着信相手選別モードの待ち受け時に着信報知動作をさせるのに必要なパスワードの情報を、あらかじめ登録された電話番号毎に設定する工程を有することを特徴とする第１の着信者識別方法記載の着信者識別方法に存する。
【００３０】
また第４の着信者識別方法は、前記着信相手選別モードの待ち受け時に、着信報知動作を起動するために必要なパスワードの情報および／またはあらかじめ登録された電話番号毎に着信報知手段を任意に設定する工程を有することを特徴とする第１の着信者識別方法ないし第３の着信者識別方法のいずれかに記載の着信者識別方法に存する。
【００３１】
また第５の着信者識別方法は、前記着信相手選別モードの待ち受け時に着呼した電話相手に対して聞かせるメッセージをあらかじめ設定する工程と、前記着信相手選別モードの待ち受け時に着呼した電話相手に対して前記あらかじめ設定したメッセージを送信する工程を有することを特徴とする第１の着信者識別方法ないし第４の着信者識別方法のいずれかに記載の着信者識別方法に存する。
【００３２】
効果として、この携帯電話機および着信者識別方法は以上のように構成されているので、あらかじめユーザが定めたパスワードの情報を教えられている人のみが電話をかけて携帯電話機の着信動作を実行する結果、ユーザは特定の相手のみに絞って電話を受けることが可能となるといった効果を奏する。
【００３３】
また、従来技術として、特開２００１−２６８６４９号公報がある（特許文献２参照。）。
【００３４】
これは、  従来、移動体通信用端末が盗難等された場合、移動体通信用端末が改造等されることにより、移動体通信用端末内部に記憶されたパスワード及び着信番号リストが変更される可能性もあり、また、加入者に要求するパスワードは毎回同じであるため、パスワードが傍受された場合には意味をなさないため、確実に移動体通信用端末の不正使用を防止することができなかった。
【００３５】
ネットワーク側で、発信番号をキーとして、着信番号の着信許可テーブルへの登録の有無を検出し、着信番号登録なしの場合、パスワードの任意の桁で構成される部分パスワードを生成し、その部分パスワードを移動体通信用端末に要求し、移動体通信用端末からの部分パスワードを確認し、部分パスワードが間違っていた場合、呼接続を行わないようにしたものである。
【００３６】
これは、携帯電話などの移動体通信用端末の盗用などによる不正使用を防止する移動体通信用端末の不正使用防止方法及び移動体通信用端末の不正使用防止システムに関するものである。
【００３７】
従来の移動体通信用端末の不正使用防止方法としては、例えば、特開平１１−２１５５５３号公報に記載されている。この移動体通信用端末の不正使用防止方法では、移動体通信用端末の本体に予めパスワード及びダイヤル番号リストが登録され保持されている。
【００３８】
移動体通信用端末は、着信番号（着信先ダイヤル番号）がダイヤル番号リストに登録されているか否かをチェックし、登録済みならば、発信処理を行い、逆に未登録ならば、暗証番号（パスワード）の入力を要求する。移動体通信用端末は、暗証番号が入力されると、登録暗証番号と照合を行い、照合結果が正常ならば、ダイヤルされた着信番号をダイヤル番号リストに追加登録して発信処理を行い、逆に照合結果が異常ならば、発信処理を中断する。
【００３９】
以上のように構成することにより、不正使用者と正規加入者が同一番号をダイヤルする場合は希であり、正規使用者の操作性を悪化することなく不正使用者による移動体通信用端末の不正使用を防止することができる。
【００４０】
解決しようとする課題として、しかし、上述した従来の移動体通信用端末の不正使用防止方法では、移動体通信用端末が盗難、複製等された場合、移動体通信用端末が改造等されることにより、移動体通信用端末内部に記憶されたパスワード及びダイヤル番号リストが変更される可能性もあり、また、加入者に要求するパスワードは、明示的に変更しない限り毎回同じであるため、パスワードが傍受された場合には意味をなさないため、確実に移動体通信用端末の不正使用を防止することができないという課題があった。
【００４１】
この移動体通信用端末の不正使用防止方法及び移動体通信用端末の不正使用防止システムは、上記のような課題を解決するためになされたものであり、移動体通信用端末の不正使用を確実に防止することができる移動体通信用端末の不正使用防止方法及び移動体通信用端末の不正使用防止システムを得ることを目的とする。
【００４２】
解決するための手段として、第１の移動体通信用端末の不正使用防止方法は、ネットワーク側で移動体通信用端末からの発呼を検出すると、その発呼の発信番号をキーとして、発呼の着信番号の着信許可テーブルへの登録の有無を検出し、着信番号登録なしの場合、予め加入者に付与されているパスワードのうちの任意の桁で構成される部分パスワードを生成し、その部分パスワードを移動体通信用端末に要求し、移動体通信用端末からの部分パスワードを確認し、部分パスワードが間違っていた場合、呼接続を行わないようにしたものである。
【００４３】
第２の移動体通信用端末の不正使用防止方法は、部分パスワードを、パスワードのうちの任意の２桁以上の数字から構成したものである。
【００４４】
第３の移動体通信用端末の不正使用防止方法は、部分パスワードが正しかった場合、着信許可テーブルに未登録の着信番号を登録するものである。
【００４５】
第４の移動体通信用端末の不正使用防止方法は、着信許可テーブルの着信番号の登録数が最大許容量数であった場合、最終アクセス日時の最も古い着信番号のレコードを削除して、未登録の着信番号を着信許可テーブルに登録するものである。
【００４６】
第１の移動体通信用端末の不正使用防止システムは、予め、発信番号毎に、複数の着信番号及びパスワードが登録された着信許可テーブルと、ネットワーク側に設けられ、移動体通信用端末からの発呼を検出すると、その発呼の発信番号をキーとして、発呼の着信番号の着信許可テーブルへの登録の有無を検出し、着信番号登録なしの場合、パスワードのうちの任意の桁で構成される部分パスワードを生成し、その部分パスワードを移動体通信用端末に要求し、移動体通信用端末からの部分パスワードを確認し、部分パスワードが間違っていた場合、呼接続を行わないよう処理する不正使用確認手段とを備えたものである。
【００４７】
効果として、以上のように、第１の移動体通信用端末の不正使用防止方法によれば、ネットワーク側で移動体通信用端末からの発呼を検出すると、その発呼の発信番号をキーとして、発呼の着信番号の着信許可テーブルへの登録の有無を検出し、着信番号登録なしの場合、予め加入者に付与されているパスワードのうちの任意の桁で構成される部分パスワードを生成し、その部分パスワードを移動体通信用端末に要求し、移動体通信用端末からの部分パスワードを確認し、部分パスワードが間違っていた場合、呼接続を行わないようにしたので、移動体通信用端末の改造等されても、またパスワードが傍受されても、確実に移動体通信用端末の不正使用を防止することができるという効果を奏する。
【００４８】
また、第２の移動体通信用端末の不正使用防止方法は、によれば、部分パスワードを、パスワードのうちの任意の２桁以上の数字から構成したので、一層確実に移動体通信用端末の不正使用を防止することができるという効果を奏する。
【００４９】
また、第３の移動体通信用端末の不正使用防止方法によれば、部分パスワードが正しかった場合、着信許可テーブルに未登録の着信番号を登録するので、次回以降の発呼に対して着信許可を与えることができるという効果を奏する。
【００５０】
また、第４の移動体通信用端末の不正使用防止方法によれば、着信許可テーブルの着信番号の登録数が最大許容量数であった場合、最終アクセス日時の最も古い着信番号のレコードを削除して、未登録の着信番号を着信許可テーブルに登録するので、着信許可テーブルのメモリ容量を大きくすることなく、加入者にとって必要な着信先に対して着信許可を与えることができるという効果を奏する。
また、第１の移動体通信用端末の不正使用防止システムによれば、予め、発信番号毎に、複数の着信番号及びパスワードが登録された着信許可テーブルと、ネットワーク側に設けられ、移動体通信用端末からの発呼を検出すると、その発呼の発信番号をキーとして、発呼の着信番号の着信許可テーブルへの登録の有無を検出し、着信番号登録なしの場合、パスワードのうちの任意の桁で構成される部分パスワードを生成し、その部分パスワードを移動体通信用端末に要求し、移動体通信用端末からの部分パスワードを確認し、部分パスワードが間違っていた場合、呼接続を行わないよう処理する不正使用確認手段とを備えたので、第１の移動体通信用端末の不正使用防止方法と同様に、移動体通信用端末の改造等されても、またパスワードが傍受されても、確実に移動体通信用端末の不正使用を防止することができるという効果を奏する。
【００５１】
また、従来技術として、特開２００２−４２０３１号公報がある（特許文献３参照。）。
【００５２】
これは、携帯物を用いて本人の認証を行なうに際し、第３者による悪用を回避すること。
【００５３】
携帯電話機の所有者を本人と認証する方法において、携帯電話機に固有情報を読み取り可能な状態で予め記録しておくとともに、本人のパスワードを当該携帯電話機には記録させない状態で上記固有情報との組み合せで予め登録しておくもの。
【００５４】
これは携帯電話機等の携帯物を用いた認証方法及びシステム並びに決済方法及びシステムに関する。
【００５５】
従来、店舗での商品の購入、役務の提供に対する支払い手段として、現金やクレジットカード、デビットカード等のカードが用いられている。
【００５６】
また、キャッシュディスペンサで用いられるキャッシュカードでは、該カードの所有者が入力したパスワードが該カードに予め磁気的に記録されている本人のパスワードと合致したときに、当該カードの所有者を本人と認証し、現金の引き出し、預金、振込等の決済を行なっている。
【００５７】
また、店舗で用いられるクレジットカードでは、該カードの所有者が自署したサインが、該カードの裏面に予め記載されている本人のサインと合致したときに、当該カードの所有者を本人と認証し、支払いの決済を行なっている。
【００５８】
解決しようとする課題として、しかしながら、従来技術では、顧客の財布をお釣りの小銭に一杯にするし、財布に何枚ものカードを入れて携帯する必要がある。
【００５９】
また、従来のキャッシュカードでは、本人のパスワードが該カードに磁気的に記録されているから、当該カードが盗難等にあうと、第３者は該カードに記録されているパスワードを読み取り、このカードを悪用するおそれがある。
【００６０】
また、従来のクレジットカードでは、本人のサインが該カードの裏面に記載されているから、当該カードが盗難等にあうと、第３者は該カードに記載されているサインを真似て、このカードを悪用するおそれがある。
【００６１】
また、従来のコンビニ等の店舗では、クレジットカードは使えず、現金又はコンビニ専用プリペイドカードによって購入商品の支払いを行なっており、このようなコンビニ等の店舗では多額の現金や大量のプリペイドカードを必要とする高額商品を扱えなかった。
【００６２】
この第１の課題は、携帯物を用いて本人の認証を行なうに際し、第３者による悪用を回避することにある。
【００６３】
また、第２の課題は、携帯物を用いて本人の認証と支払いの決済を行なうに際し、第３者による悪用を回避することにある。
【００６４】
また、第３の課題は、クレジットカードが使えないコンビニ等の店舗でも、現金やプリペイドカードによることなく、簡易に決済可能とすることにある。
【００６５】
また、第４の課題は、本人の認証を安全確実に行なうことにある。
【００６６】
また、第５の課題は、キャッシュレスで安全に支払いの決済を行なうことにある。
【００６７】
課題を解決するための手段として、第１の認証方法は、携帯物の所有者を本人と認証する方法において、携帯物に固有情報を読み取り可能な状態で予め記録しておくとともに、本人のパスワードを当該携帯物には記録させない状態で上記固有情報との組み合せで予め登録しておき、携帯物の所有者が提示した携帯物から読み取られた固有情報と、当該携帯物の所有者が入力したパスワードとの組み合せが予め登録したものと合致したとき、当該携帯物の所有者を本人と認証するようにしたものである。
【００６８】
第２の認証方法は、第１の認証方法において更に、前記パスワードと固有情報の組み合せが認証実行エリアから遠隔の認証管理センターにて登録されており、認証実行エリアで読み取られた固有情報と入力されたパスワードの組み合せが、通信ネットワークを介して認証管理センターに送信されて認証処理され、認証管理センターで得られた認証結果が、通信ネットワークを介して認証実行エリアに送信されるようにしたものである。
【００６９】
第３の認証方法は、第１または第２の認証方法において更に、前記携帯物から非接触で固有情報を読み取るようにしたものである。
【００７０】
第４の認証方法は、第１または第２の認証方法において更に、前記携帯物が出力する画像情報又はバーコード情報からなる固有情報を認識することにより、該固有情報を読み取るようにしたものである。
【００７１】
第５の認証方法は、第１〜４の認証方法のいずれかに記載の認証方法において更に、前記携帯物が携帯電話機、携帯端末、クレジットカード、ＩＣカード、ディビッドカード、自動車免許証、パスポートのいずれかであるようにしたものである。
【００７２】
第６の認証方法は、第１〜５のいずれかに記載の認証方法において更に、前記固有情報が電話番号、ｅ‐ｍａｉｌアドレス、携帯物製造番号、カード番号、免許証番号、パスポート番号の少なくとも１つを含むようにしたものである。
【００７３】
第１の認証システムは、携帯物の所有者を本人と認証するシステムにおいて、携帯物に固有情報を読み取り可能な状態で予め記録しておくとともに、本人のパスワードを当該携帯物には記録させない状態で上記固有情報との組み合せで予め登録手段に登録しておき、携帯物の所有者が提示した携帯物から読み取られた固有情報と、当該携帯物の所有者が入力したパスワードとの組み合せが予め登録したものと合致したとき、当該携帯物の所有者を本人と認証する認証手段を備えるようにしたものである。
【００７４】
第２の認証システムは、第１の認証システムにおいて更に、前記パスワードと固有情報の組み合せが認証実行エリアから遠隔の認証管理センターに設けた登録手段に登録されており、認証実行エリアで読み取られた固有情報と入力されたパスワードの組み合せが、通信ネットワークを介して認証管理センターに設けた認証手段に送信されて認証処理され、認証管理センターで得られた認証結果が、通信ネットワークを介して認証実行エリアに送信されるようにしたものである。
【００７５】
第３の認証システムは、第１またはは２に記載の認証システムにおいて更に、前記携帯物から非接触で固有情報を読み取るようにしたものである。
【００７６】
第４の認証システムは、第１またはは２に記載の認証システムにおいて更に、前記携帯物が出力する画像情報又はバーコード情報からなる固有情報を認識することにより、該固有情報を読み取るようにしたものである。
【００７７】
第５の認証システムは、第１〜４のいずれかに記載の認証システムにおいて更に、前記携帯物が携帯電話機、携帯端末、クレジットカード、ＩＣカード、ディビッドカード、自動車免許証、パスポートのいずれかであるようにしたものである。
【００７８】
第６の認証システムは、第１〜５のいずれかに記載の認証システムにおいて更に、前記固有情報が電話番号、ｅ‐ｍａｉｌアドレス、携帯物製造番号、カード番号、免許証番号、パスポート番号の少なくとも１つを含むようにしたものである。
【００７９】
第１の決済方法は、携帯物の所有者を本人と認証し、当該携帯物の所有者の支払いを決済する方法において、携帯物に固有情報を読み取り可能な状態で予め記録しておくとともに、本人のパスワードと決済先情報を当該携帯物には記録させない状態で上記固有情報との組み合せで予め登録しておき、携帯物の所有者が提示した携帯物から読み取られた固有情報と、当該携帯物の所有者が入力したパスワードとの組み合せが予め登録したものと合致したとき、当該携帯物の所有者を本人と認証し、当該携帯物の所有者の支払いを当該本人の決済先情報にて予め登録してある決済先から決済するようにしたものである。
【００８０】
第２の決済方法は、第１の決済方法において更に、前記パスワードと固有情報と決済先情報の組み合せが認証実行エリアから遠隔の認証管理センターにて登録されており、認証実行エリアで読み取られた固有情報と入力されたパスワードの組み合せが、通信ネットワークを介して認証管理センターに送信されて認証処理され、認証管理センターで得られた認証結果が、通信ネットワークを介して認証実行エリアに送信されるようにしたものである。
【００８１】
第３の決済方法は、第１または２に記載の決済方法において更に、前記携帯物から非接触で固有情報を読み取るようにしたものである。
【００８２】
第４の決済方法は、第１または２に記載の決済方法において更に、前記携帯物が出力する画像情報又はバーコード情報からなる固有情報を認識することにより、該固有情報を読み取るようにしたものである。
【００８３】
第５の決済方法は、第１〜４のいずれかに記載の決済方法において更に、前記携帯物が携帯電話機、携帯端末、クレジットカード、ＩＣカード、ディビッドカード、自動車免許証、パスポートのいずれかであるようにしたものである。
【００８４】
第６の決済方法は、第１〜５のいずれかに記載の決済方法において更に、前記固有情報が電話番号、ｅ‐ｍａｉｌアドレス、携帯物製造番号、カード番号、免許証番号、パスポート番号の少なくとも１つを含むようにしたものである。
【００８５】
第１の決済システムは、携帯物の所有者を本人と認証し、当該携帯物の所有者の支払いを決済するシステムにおいて、携帯物に固有情報を読み取り可能な状態で予め記録しておくとともに、本人のパスワードと決済先情報を当該携帯物には記録させない状態で上記固有情報との組み合せで予め登録手段に登録しておき、携帯物の所有者が提示した携帯物から読み取られた固有情報と、当該携帯物の所有者が入力したパスワードとの組み合せが予め登録したものと合致したとき、当該携帯物の所有者を本人と認証し、当該携帯物の所有者の支払いを当該本人の決済先情報にて予め登録してある決済先から決済する認証手段を備えるようにしたものである。
【００８６】
第２の決済システムは、第１の決済システムにおいて更に、前記パスワードと固有情報と決済先情報の組み合せが認証実行エリアから遠隔の認証管理センターに設けた登録手段に登録されており、認証実行エリアで読み取られた固有情報と入力されたパスワードの組み合せが、通信ネットワークを介して認証管理センターに設けた認証手段に送信されて認証処理され、認証管理センターで得られた認証結果が、通信ネットワークを介して認証実行エリアに送信されるようにしたものである。
【００８７】
第３の決済システムは、第１または２に記載の決済システムにおいて更に、前記携帯物から非接触で固有情報を読み取るようにしたものである。
【００８８】
第４の決済システムは、第１または２に記載の決済システムにおいて更に、前記携帯物が出力する画像情報又はバーコード情報からなる固有情報を認識することにより、該固有情報を読み取るようにしたものである。
【００８９】
第５の決済システムは、第１〜４のいずれかに記載の決済システムにおいて更に、前記携帯物が携帯電話機、携帯端末、クレジットカード、ＩＣカード、ディビッドカード、自動車免許証、パスポートのいずれかであるようにしたものである。
【００９０】
第６の決済システムは、第１〜５のいずれかに記載の決済システムにおいて更にに、前記固有情報が電話番号、ｅ‐ｍａｉｌアドレス、携帯物製造番号、カード番号、免許証番号、パスポート番号の少なくとも１つを含むようにしたものである。
【００９１】
第７の認証方法は、携帯情報端末の所有者を本人と認証する方法において、本人のために予め登録した固有情報を携帯情報端末に読み取り可能な状態で表示可能にし、携帯情報端末の所有者が提示した携帯情報端末から読み取られた固有情報が本人のために予め登録した固有情報に合致したとき、当該携帯情報端末の所有者を当該本人と認証するものであり、本人のために予め登録し、かつ携帯情報端末に表示可能にする固有情報を経時的に更新するようにしたものである。
【００９２】
第８の認証方法は、第７の認証方法において更に、前記本人のための固有情報が認証管理センターで経時的に更新され、該固有情報が携帯情報端末に提供されるとともに、認証実行エリアから遠隔の認証処理センターに登録され、認証実行エリアで読み取られた固有情報が、通信ネットワークを介して認証処理センターに送信されて認証処理され、認証処理センターで得られた認証結果が、通信ネットワークを介して認証実行エリアに送信されるようにしたものである。
【００９３】
第９の認証方法は、携帯情報端末の所有者を本人と認証する方法において、携帯情報端末に固有情報を読み取り可能な状態で表示可能にするとともに、本人のパスワードを当該携帯情報端末には記録させない状態で上記固有情報との組み合せで予め登録しておき、携帯情報端末の所有者が提示した携帯情報端末から読み取られた固有情報と、当該携帯情報端末の所有者が入力したパスワードとの組み合せが予め登録したものと合致したとき、当該携帯情報端末の所有者を本人と認証するものであり、本人のパスワードとの組み合せで予め登録し、かつ携帯情報端末に表示可能にする固有情報を経時的に更新するようにしたものである。
【００９４】
第１０の認証方法は、第９の認証方法において更に、前記本人のための固有情報が認証管理センターで経時的に更新され、該固有情報が携帯情報端末に提供されるとともに、パスワードと固有情報の組み合せが認証実行エリアから遠隔の認証処理センターに登録され、認証実行エリアで読み取られた固有情報と入力されたパスワードの組み合せが、通信ネットワークを介して認証処理センターに送信されて認証処理され、認証処理センターで得られた認証結果が、通信ネットワークを介して認証実行エリアに送信されるようにしたものである。
【００９５】
第１１の認証方法は、第７〜１０のいずれかの認証方法において更に、前記固有情報がバーコード情報からなるようにしたものである。
【００９６】
第７の認証システムは、携帯情報端末の所有者を本人と認証するシステムにおいて、本人のために予め登録手段に登録した固有情報を携帯情報端末に読み取り可能な状態で表示可能にし、携帯情報端末の所有者が提示した携帯情報端末から読み取られた固有情報が本人のために予め登録した固有情報に合致したとき、当該携帯情報端末の所有者を当該本人と認証する認証手段を備え、本人のために予め登録手段に登録し、かつ携帯情報端末に表示可能にする固有情報を経時的に更新する更新手段を備えるようにしたものである。
【００９７】
第８の認証システムは、第１の認証システムにおいて更に、前記本人のための固有情報が認証管理センターに設けた更新手段で経時的に更新され、該固有情報が携帯情報端末に提供されるとともに、認証実行エリアから遠隔の認証処理センターに設けた登録手段に登録され、認証実行エリアで読み取られた固有情報が、通信ネットワークを介して認証処理センターに設けた認証手段に送信されて認証処理され、認証処理センターで得られた認証結果が、通信ネットワークを介して認証実行エリアに送信されるようにしたものである。
【００９８】
第９の認証システムは、携帯情報端末の所有者を本人と認証するシステムにおいて、携帯情報端末に固有情報を読み取り可能な状態で表示可能にするとともに、本人のパスワードを当該携帯情報端末には記録させない状態で上記固有情報との組み合せで予め登録手段に登録しておき、携帯情報端末の所有者が提示した携帯情報端末から読み取られた固有情報と、当該携帯情報端末の所有者が入力したパスワードとの組み合せが予め登録したものと合致したとき、当該携帯情報端末の所有者を本人と認証する認証手段を備え、本人のパスワードとの組み合せで予め登録手段に登録し、かつ携帯情報端末に表示可能にする固有情報を経時的に更新する更新手段を備えるようにしたものである。
【００９９】
第１０の認証システムは、第９の認証システムにおいて更に、前記本人のための固有情報が認証管理センターに設けた更新手段で経時的に更新され、該固有情報が携帯情報端末に提供されるとともに、パスワードと固有情報の組み合せが認証実行エリアから遠隔の認証処理センターに設けた登録手段に登録され、認証実行エリアで読み取られた固有情報と入力されたパスワードの組み合せが、通信ネットワークを介して認証処理センターに設けた認証手段に送信されて認証処理され、認証処理センターで得られた認証結果が、通信ネットワークを介して認証実行エリアに送信されるようにしたものである。
【０１００】
第１１の認証システムは、第７〜１０の認証システムにおいて更に、前記固有情報がバーコード情報からなるようにしたものである。
【０１０１】
第７の決済方法は、携帯情報端末の所有者を本人と認証し、当該携帯情報端末の所有者の支払いを決済する方法において、本人のために予め登録した固有情報を携帯情報端末に読み取り可能な状態で表示可能にするとともに、本人の決済先情報を上記固有情報との組み合せで予め登録しておき、携帯情報端末の所有者が提示した携帯情報端末から読み取られた固有情報が本人のために予め登録した固有情報に合致したとき、当該携帯情報端末の所有者を当該本人と認証し、当該携帯情報端末の所有者の支払いを当該本人の決済先情報にて予め登録してある決済先から決済するものであり、本人のために予め登録し、かつ携帯情報端末に表示可能にする固有情報を経時的に更新するようにしたものである。
【０１０２】
第８の決済方法は、第７の決済方法において更に、前記本人のための固有情報が認証管理センターで経時的に更新され、該固有情報が携帯情報端末に提供されるとともに、固有情報と決済先情報の組み合せが認証実行エリアから遠隔の認証処理センターに登録され、認証実行エリアで読み取られた固有情報が、通信ネットワークを介して認証処理センターに送信されて認証処理され、認証処理センターで得られた認証結果が、通信ネットワークを介して認証実行エリアに送信されるようにしたものである。
【０１０３】
第９の決済方法は、携帯情報端末の所有者を本人と認証し、当該携帯情報端末の所有者の支払いを決済する方法において、携帯情報端末に固有情報を読み取り可能な状態で表示可能にするとともに、本人のパスワードを当該携帯情報端末には記録させない状態で、本人の決済先情報及び上記固有情報との組み合せで予め登録しておき、携帯情報端末の所有者が提示した携帯情報端末から読み取られた固有情報と、当該携帯情報端末の所有者が入力したパスワードとの組み合せが予め登録したものと合致したとき、当該携帯情報端末の所有者を本人と認証し、当該携帯情報端末の所有者の支払いを当該本人の決済先情報にて予め登録してある決済先から決済するものであり、本人のパスワードと決済先情報との組み合せで予め登録し、かつ携帯情報端末に表示可能にする固有情報を経時的に更新するようにしたものである。
【０１０４】
第１０の決済方法は、第９の決済方法において更に、前記本人のための固有情報が認証管理センターで経時的に更新され、該固有情報が携帯情報端末に提供されるとともに、パスワードと固有情報と決済先情報の組み合せが認証実行エリアから遠隔の認証処理センターにて登録され、認証実行エリアで読み取られた固有情報と入力されたパスワードの組み合せが、通信ネットワークを介して認証処理センターに送信されて認証処理され、認証処理センターで得られた認証結果が、通信ネットワークを介して認証実行エリアに送信されるようにしたものである。
【０１０５】
第１１の決済方法は、第７〜１０のいずれかの決済方法において更に、前記固有情報がバーコード情報からなるようにしたものである。
【０１０６】
第７の決済システムは、携帯情報端末の所有者を本人と認証し、当該携帯情報端末の所有者の支払いを決済するシステムにおいて、本人のために予め登録した固有情報を携帯情報端末に読み取り可能な状態で表示可能にするとともに、本人の決済先情報を上記固有情報との組み合せで予め登録手段に登録しておき、携帯情報端末の所有者が提示した携帯情報端末から読み取られた固有情報が本人のために予め登録した固有情報に合致したとき、当該携帯情報端末の所有者を当該本人と認証し、当該携帯情報端末の所有者の支払いを当該本人の決済先情報にて予め登録してある決済先から決済する認証手段を備え、本人のために予め登録手段に登録し、かつ携帯情報端末に表示可能にする固有情報を経時的に更新する更新手段を備えるようにしたものである。
【０１０７】
第８の決済システムは、第７の決済システムにおいて更に、前記本人のための固有情報が認証管理センターに設けた更新手段で経時的に更新され、該固有情報が携帯情報端末に提供されるとともに、固有情報と決済先情報の組み合せが認証実行エリアから遠隔の認証処理センターに設けた登録手段に登録され、認証実行エリアで読み取られた固有情報が、通信ネットワークを介して認証処理センターに設けた認証手段に送信されて認証処理され、認証処理センターで得られた認証結果が、通信ネットワークを介して認証実行エリアに送信されるようにしたものである。
【０１０８】
第９の決済システムは、携帯情報端末の所有者を本人と認証し、当該携帯情報端末の所有者の支払いを決済するシステムにおいて、携帯情報端末に固有情報を読み取り可能な状態で表示可能にするとともに、本人のパスワードを当該携帯情報端末には記録させない状態で、本人の決済先情報及び上記固有情報との組み合せで予め登録手段に登録しておき、携帯情報端末の所有者が提示した携帯情報端末から読み取られた固有情報と、当該携帯情報端末の所有者が入力したパスワードとの組み合せが予め登録したものと合致したとき、当該携帯情報端末の所有者を本人と認証し、当該携帯情報端末の所有者の支払いを当該本人の決済先情報にて予め登録してある決済先から決済する認証手段を備え、本人のパスワードと決済先情報との組み合せで予め登録手段に登録し、かつ携帯情報端末に表示可能にする固有情報を経時的に更新する更新手段を備えるようにしたものである。
【０１０９】
第１０の決済システムは、第９の決済システムにおいて更に、前記本人のための固有情報が認証管理センターに設けた更新手段で経時的に更新され、該固有情報が携帯情報端末に提供されるとともに、パスワードと固有情報と決済先情報の組み合せが認証実行エリアから遠隔の認証処理センターに設けた登録手段に登録され、認証実行エリアで読み取られた固有情報と入力されたパスワードの組み合せが、通信ネットワークを介して認証処理センターに設けた認証手段に送信されて認証処理され、認証処理センターで得られた認証結果が、通信ネットワークを介して認証実行エリアに送信されるようにしたものである。
【０１１０】
第１１の決済システムは、第７〜１０のいずれかの決済システムにおいて更に、前記固有情報がバーコード情報からなるようにしたものである。
【０１１１】
第１２の決済システムは、第７〜１１のいずれかの決済システムにおいて更に、前記携帯情報端末の所有者の支払い限度額情報を該携帯情報端末に表示可能とするようにしたものである。
【０１１２】
第１３の決済システムは、第７〜１２のいずれかの決済システムにおいて更に、前記携帯情報端末の所有者の支払い先に関する利用記録情報を該携帯情報端末に表示可能とするようにしたものである。
【０１１３】
第１４の決済システムは、第７〜１３のいずれかの決済システムにおいて更に、前記携帯情報端末の所有者の支払い先への支払い情報を該携帯情報端末に表示可能とするようにしたものである。
【０１１４】
第１５の決済システムは、第７〜１４のいずれかの決済システムにおいて更に、前記携帯情報端末の所有者の決済先の残高情報を該携帯情報端末に表示可能とするようにしたものである。
【０１１５】
第１６の決済システムは、第７〜１５のいずれかの決済システムにおいて更に、前記携帯情報端末の所有者の支払い額に応じて提供されるサービスに関するポイント情報、クーポン情報等の利益取得情報を該携帯情報端末に表示可能とするようにしたものである。
【０１１６】
作用として、第１〜６の認証方法および認証システムによれば下記の作用がある。
【０１１７】
本人のパスワードが予め登録された携帯物を用いて本人の認証を行なうに際し、本人のパスワードは当該携帯物に記録されていない。従って、当該携帯物が盗難等にあったとしても、第３者が当該携帯物からパスワードを読み取る可能性を排除でき、第３者による悪用を回避できる。
【０１１８】
パスワードと固有情報の組み合せの登録を認証実行エリアでなく、遠隔の認証管理センターにて保管しておくことにより、多数の店舗等からなる認証実行エリアのそれぞれにおいてその登録を保管する場合に比して、この認証システムの構成を簡素化できるし、その登録漏洩の可能性もより確実に排除できる。
【０１１９】
また、第１〜６の決済方法および決済システムによれば下記の作用がある。
【０１２０】
本人のパスワードが予め登録された携帯物を用いて本人の認証と支払いの決済を行なうに際し、本人のパスワードは当該携帯物に記録されていない。従って、当該携帯物が盗難等にあったとしても、第３者が当該携帯物からパスワードを読み取る可能性を排除でき、第３者による悪用を回避できる。
【０１２１】
パスワードと固有情報と決済先情報の組み合せの登録を認証実行エリアでなく、遠隔の認証管理センターにて保管しておくことにより、多数の店舗等からなる認証実行エリアのそれぞれにおいてその登録を保管する場合に比して、この認証決済システムの構成を簡素化できるし、その登録漏洩の可能性もより確実に排除できる。
【０１２２】
クレジットカードが使えないコンビニ等の店舗でも、固有情報が記録され、且つ本人のパスワードが登録された携帯電話機等の携帯物を用いて本人の認証を行なうことにより、現金を使用せず、予め定めてある決済先から購入商品の支払いを決済できる。これによれば、コンビニ等でも高額商品を扱えるようになり、コンビニ等の経営改良につながる。
【０１２３】
また、第７〜１１の認証方法および認証システムによれば下記の作用がある。
【０１２４】
（１）本人のために予め登録したバーコード等の固有情報が表示された携帯情報端末を用いて本人の認証を行なうに際し、携帯情報端末に表示される固有情報が経時的に更新される。従って、携帯情報端末の所有者から本人の更新時までの信用を確認した上で新たな固有情報を発行できるから、この認証システムによる認証の信頼度を向上できるし、第３者による悪用を回避できる。
【０１２５】
（２）固有情報の登録を店舗等の認証実行エリアでなく、遠隔の認証処理センターに保管しておくことにより、多数の店舗等からなる認証実行エリアのそれぞれにおいてそれらの登録を保管する場合に比して、この認証システムの構成を簡易化できるし、その登録漏洩の可能性もより確実排除できる。
【０１２６】
（３）本人のために予め登録したバーコード等の固有情報が表示され、かつ本人のパスワードが予め登録された携帯情報端末を用いて本人の認証を行なうに際し、携帯情報端末に表示される固有情報が経時的に更新されるし、本人のパスワードは当該携帯情報端末に記録されない。従って、携帯情報端末の所有者から本人の更新時までの信用を確認した上で新たな固有情報を発行できるから、この認証システムによる認証の信頼度を向上できるし、第３者による悪用を回避できる。また、当該携帯情報端末が盗難にあったとしても、第３者が当該携帯情報端末からパスワードを読み取る可能性を排除でき、第３者による悪用を回避できる。
【０１２７】
（４）パスワードと固有情報の組み合せの登録を店舗等の認証実行エリアでなく、遠隔の認証処理センターに保管しておくことにより、多数の店舗等からなる認証実行エリアのそれぞれにおいてそれらの登録を保管する場合に比して、この認証システムの構成を簡易化できるし、その登録漏洩の可能性もより確実に排除できる。
【０１２８】
また、第７〜１１の決済方法および第７〜１６の決済システムによれば下記（５）〜（１０）の作用がある。
【０１２９】
（５）本人のために予め登録したバーコード等の固有情報が表示された携帯情報端末を用いて本人の認証と支払いの決済を行なうに際し、携帯情報端末に表示される固有情報が経時的に更新される。従って、携帯情報端末の所有者から本人の更新時までの信用を確認した上で新たな固有情報を発行できるから、この認証システムによる認証の信頼度を向上できるし、第３者による悪用を回避できる。
【０１３０】
（６）固有情報と決済先情報の組み合せの登録を店舗等の認証実行エリアでなく、遠隔の認証処理センターに保管しておくことにより、多数の店舗等からなる認証実行エリアのそれぞれにおいてそれらの登録を保管する場合に比して、この認証システムの構成を簡易化できるし、その登録漏洩の可能性もより確実排除できる。
【０１３１】
（７）固有情報が表示された携帯情報端末を用いて本人の認証を行なうことにより、現金を使用せず、予め定めてある決済先から購入商品や提供役務の支払いを決済できる。これによれば、コンビニ等でも高額商品を扱えるようになり、コンビニ等の経営改善にもつながる。
【０１３２】
（８）本人のために予め登録したバーコード等の固有情報が表示され、かつ本人のパスワードが予め登録された携帯情報端末を用いて本人の認証と支払いの決済を行なうに際し、携帯情報端末に表示される固有情報が経時的に更新されるし、本人のパスワードは当該携帯情報端末に記録されない。従って、携帯情報端末の所有者から本人の更新時までの信用を確認した上で新たな固有情報を発行できるから、この認証システムによる認証の信頼度を向上できるし、第３者による悪用を回避できる。また、当該携帯情報端末が盗難にあったとしても、第３者が当該携帯情報端末からパスワードを読み取る可能性を排除でき、第３者による悪用を回避できる。
【０１３３】
（９）パスワードと固有情報と決済先情報の組み合せの登録を店舗等の認証実行エリアでなく、遠隔の認証処理センターに保管しておくことにより、多数の店舗等からなる認証実行エリアのそれぞれにおいてそれらの登録を保管する場合に比して、この認証システムの構成を簡易化できるし、その登録漏洩の可能性もより確実に排除できる。
【０１３４】
（１０）固有情報が表示され、かつ本人のパスワードが登録された携帯情報端末を用いて本人の認証を行なうことにより、現金を使用せず、予め定めてある決済先から購入商品や提供役務の支払いを決済できる。これによれば、コンビニ等でも高額商品を扱えるようになり、コンビニ等の経営改善にもつながる。
【０１３５】
効果として、以上のように、携帯物を用いて本人の認証を行なうに際し、第３者による悪用を回避することができる。
【０１３６】
また、携帯物を用いて本人の認証と支払いの決済を行なうに際し、第３者による悪用を回避することができる。
【０１３７】
また、クレジットカードが使えないコンビニ等の店舗でも、現金やプリペイドカードによることなく、簡易に決済できる。
【０１３８】
また、携帯電話機等の携帯物の固有情報を非接触で読み取るものとすることにより、本人を認証するための操作を極めて簡易にできる。
【０１３９】
また、本人の認証を安全確実に行なうことができる。
【０１４０】
また、キャッシュレスで安全に支払いの決済を行なうことができる。
【０１４１】
また、従来技術として、特開２００２−１５２３６８号公報がある（特許文献４参照。）。
【０１４２】
これは、パスワードに対応した暗証操作手順を登録することで、セキュリティーを保持しつつ、パスワードの表示を可能とするパスワードの記憶方法及びパスワードの記憶システムに関する技術を提供する点にある。
【０１４３】
携帯機（携帯電話、機器）は、キー（入力ボタン、入力キー、入力手段）と、メモリ（記憶メモリ、記憶手段）と、表示部（表示手段）とで概略構成され、メモリは、暗証操作（暗証操作手順）とパスワード（暗証番号）とを記憶する。
【０１４４】
これは、パスワードの記憶方法に関し、特にユーザーがパスワードを忘れた場合に利用するパスワードの記憶方法及びパスワードの記憶システムに属する。
【０１４５】
従来、携帯電話やＰＨＳ端末にはユーザーが暗証番号（パスワード）を設定する機能が付いており、重要な機能を動作させる場合に暗証番号を照合し、合致した場合のみ動作する機能がある。また、暗証番号に関して、セキュリティーを考慮して表示部に表示する場合には「＊」等の表示を行っていた。
【０１４６】
解決しようとする課題として、しかしながら、従来技術には以下に掲げる問題点があった。
【０１４７】
ユーザーは、その重要な機能を動作させるために暗証番号が必要であるが、暗証番号を忘れた場合、動作不可能となってしまう。このような場合、ユーザーが暗証番号を知るためには、携帯電話又はＰＨＳ端末を販売店等に持ち込み、暗証番号リセット等を行ってもらう必要があり、煩わしい手間と時間を費やしてしまうという問題点があった。
【０１４８】
このパスワードの記憶方法及びパスワードの記憶システムは斯かる問題点を鑑みてなされたものであり、その目的とするところは、パスワードに対応した暗証操作手順を登録することで、セキュリティーを保持しつつ、パスワードの表示を可能とするパスワードの記憶方法及びパスワードの記憶システムに関する技術を提供する点にある。
【０１４９】
解決するための手段として、第１のパスワード記憶方法は、機器が有する重要な機能を動作させるパスワードの記憶方法であって、前記パスワードに対応して設定される暗証操作手順を登録するための暗証操作設定手段を選択した後、前記機器が備える入力手段による所定回数の入力操作回数と、前記入力手段の種類と、前記入力操作の順番とを前記暗証操作手順として記憶手段に登録する第１のステップと、前記暗証操作手順に対応させて前記パスワードを前記記憶手段に記憶する第２のステップと、前記パスワードを表示するためのパスワード表示操作手段を選択した後、前記暗証操作手順を入力し、登録されている前記暗証操作手順と、入力された前記暗証操作手順とを比較し、照合結果が一致したとき、前記暗証操作手順に対応して記憶された前記パスワードを表示する第３のステップとを備えることを特徴とするパスワード記憶方法に存する。
【０１５０】
第２のパスワード記憶方法は、前記第１のステップは、前記暗証操作設定手段を、前記機器である携帯電話やＰＨＳなどの携帯端末が備える表示手段のメニュー画面から選択するステップを含み、前記第３のステップは、前記パスワード表示操作手段を、前記メニュー画面から選択するステップを含むことを特徴とする第１のパスワード記憶方法に存する。
【０１５１】
第３のパスワード記憶方法は、前記暗証操作手順の登録と前記パスワードを表示するための前記暗証操作手順入力とを、前記入力手段である前記携帯端末の数字キーや機能キーを含む入力キーの押下で行い、前記暗証操作手順の比較は、前記入力キーの押下回数と、前記入力キーの種類と、押下された前記入力キーの順番との比較であることを特徴とする第１または第２のパスワード記憶方法に存する。
【０１５２】
第１のパスワード記憶方法を実行可能なプログラムが記録された記憶媒体は、第１ないし第３のいずれかに記載のパスワード記憶方法を実行可能なプログラムが記録された記憶媒体に存する。
【０１５３】
第１のパスワードの記憶システムは、機器が有する重要な機能を動作させるパスワードの記憶システムであって、前記機器の動作や設定を行うための入力手段と、前記入力手段による所定の入力操作回数と前記入力手段の種類と前記入力操作の順番と含む暗証操作手順と、該暗証操作手順に対応する前記パスワードとを登録する記憶手段と、前記機器の設定や動作に関する情報を表示する表示手段とを備え、前記記憶手段は、前記パスワードを表示するための前記暗証操作手順が入力されたとき、登録された前記暗証操作手順と入力された前記暗証操作手順とを照合する暗証操作照合手段と、該暗証操作照合手段が照合一致を判断した場合に、前記表示手段に対して、パスワードを表示する指示を行うパスワード表示指示手段とを有し、前記表示手段は、前記パスワード表示指示手段からの指示に従い、前記パスワードを表示することを特徴とするパスワードの記憶システムに存する。
【０１５４】
第２のパスワードの記憶システムは、前記表示手段は、前記暗証操作手順を登録するための入力設定を行う暗証操作設定手段と、前記パスワードの表示をするための前記暗証操作手順を入力するパスワード表示操作手段とが選択されるメニュー画面を表示することを特徴とする第１のパスワードの記憶システムに存する。
【０１５５】
第３のパスワードの記憶システムは、前記機器は、携帯電話やＰＨＳなどの携帯端末であり、前記入力手段は、前記携帯端末が備える数字キーや機能キーを含む入力キーであり、前記暗証操作手順は、前記入力キーの押下回数と、前記入力キーの種類と、押下された前記入力キーの順番とを有することを特徴とする第１または第２のパスワードの記憶システムに存する。
【０１５６】
携帯端末は、第１ないし第３のいずれかに記載のパスワードの記憶システムを備えることを特徴とする携帯端末に存する。
【０１５７】
効果として、以上のように構成されているので、以下に掲げる効果を奏する。
【０１５８】
数字のみで構成されるパスワードを、数字キーやリダイヤルボタンなどの機能キー（機能ボタン）を含むキーの押下と押下回数と押下の順番との組合わせで登録された暗証操作手順に対応させて記憶することで、パスワードを忘れた場合でも、暗証操作手順の入力によりパスワードを表示させるできる。
【０１５９】
【特許文献１】
特開２０００−３１６０５０号公報（段落［０００１］〜［０００６］、および［００１７］）
【特許文献２】
特開２００１−２６８６４９号公報（段落［０００１〜［００１０］、および［００３７］〜［００４１］）
【特許文献３】
特開２００２−４２０３１号公報（段落［０００１］〜［００７７］，および［０１３５］〜［０１４０］）
【特許文献４】
特開２００２−１５２３６８号公報（段落［０００１］〜［０００６］，［００３６］，および［００３７］）
【０１６０】
【発明が解決しようとする課題】
上述した従来のパスワードの使用方法に於いては、
第１の問題点は、パスワードを忘れてしまい簡単に思い出せなく、その結果、サービスを利用できなくなる使用上の問題があった。
【０１６１】
その理由は、パスワードは、自分の電話番号や誕生日のように覚えやすい数字やアルファベットとすることが多いが、この方法は第三者に見破られやすい欠点があり、これを避けるため、全くユニークな数字やアルファベットの組合せを取ることにより身に付きにくい忘れやすいパスワードとなり、簡単に思い出せないものとなっているからである。
【０１６２】
【課題を解決するための手段】
第１の発明のパスワード確認機能付き携帯電話は、携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、さらにパスワード確認表示を行わせるための確認指示となる選択番号を予め選択番号登録データとしてボタン操作部のボタン操作により入力しておき、着信があった時に発呼者の電話番号を抽出する発呼者番号抽出部と、およびこれらを制御する制御部とにより構成し、携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致し、さらに、前記発呼者番号と発呼者番号登録データが一致したことによりパスワード確認表示を行わせるための確認指示となる選択番号をボタン操作部のボタン操作により入力し、予め登録部に登録されている選択番号登録データと、入力した選択番号が一致ていることを制御部が判定し、両者のデータが全て一致している場合は携帯電話の表示部に登録されているパスワードを表示する制御を行い、パスワードの確認を可能とする一方、両者が一致しなかった場合にはパスワードの確認を無効とする。
【０１６３】
また、第２の発明の携帯電話におけるパスワード確認方法は、携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、さらにパスワード確認表示を行わせるための確認指示となる選択番号を予め選択番号登録データとしてボタン操作部のボタン操作により入力しておき、着信があった時に発呼者の電話番号を抽出する発呼者番号抽出部と、およびこれらを制御する制御部とにより構成した携帯電話における携帯電話のパスワード確認方法であって、携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致し、さらに、前記発呼者番号と発呼者番号登録データが一致したことによりパスワード確認表示を行わせるための確認指示となる選択番号をボタン操作部のボタン操作により入力し、予め登録部に登録されている選択番号登録データと、入力した選択番号が一致ていることを制御部が判定し、両者のデータが全て一致している場合は携帯電話の表示部に登録されているパスワードを表示する制御を行い、パスワードの確認を可能とする一方、両者が一致しなかった場合にはパスワードの確認を無効とする。
【０１６４】
また、第３の発明のプログラムは、携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、さらにパスワード確認表示を行わせるための確認指示となる選択番号を予め選択番号登録データとしてボタン操作部のボタン操作により入力しておき、着信があった時に発呼者の電話番号を抽出する発呼者番号抽出部と、およびこれらを制御する制御部とにより構成した携帯電話における携帯電話のパスワード確認処理において、携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致し、さらに、前記発呼者番号と発呼者番号登録データが一致したことによりパスワード確認表示を行わせるための確認指示となる選択番号をボタン操作部のボタン操作により入力し、予め登録部に登録されている選択番号登録データと、入力した選択番号が一致ていることを制御部が判定し、両者のデータが全て一致している場合は携帯電話の表示部に登録されているパスワードを表示する制御を行い、パスワードの確認を可能とする一方、両者が一致しなかった場合にはパスワードの確認を無効とする処理をコンピュータに実行させる。
【０１６５】
また、第４の発明のパスワード確認機能付き携帯電話は、携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、さらにパスワード確認表示を行わせるための確認指示となる選択番号を予め選択番号登録データとしてボタン操作部のボタン操作により入力しておき、着信があった時に発呼者の電話番号を抽出する発呼者番号抽出部と、タイマーが定められた時間内にタイムアップした場合制御部に通知し時間に達したことが判る仕組みになっているタイマー部と、着信が継続しているかどうかを状態検出により制御部が判定する無線部と、およびこれらを制御する制御部とにより構成し、携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致し、さらに、前記発呼者番号と発呼者番号登録データが一致したことにより、タイマー部のタイマーを起動しタイマーのタイムアウト内にパスワード確認表示を行わせるための確認指示となる選択番号をボタン操作部のボタン操作により入力し、着信が継続している場合、予め登録部に登録されている選択番号登録データと、入力した選択番号が一致ていることを制御部が判定し、両者のデータが全て一致している場合は携帯電話の表示部に登録されているパスワードを表示する制御を行い、パスワードの確認を可能とする一方、両者が一致しなかった場合、タイマーのタイムアウトした場合、または着信が継続してない場合にはパスワードの確認を無効とする。
【０１６６】
また、第５の発明のパスワード確認機能付き携帯電話は、携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、さらにパスワード確認表示を行わせるための確認指示となる選択番号を予め選択番号登録データとしてボタン操作部のボタン操作により入力しておき、着信があった時に発呼者の電話番号を抽出する発呼者番号抽出部と、タイマーが定められた時間内にタイムアップした場合制御部に通知し時間に達したことが判る仕組みになっているタイマー部と、着信が継続しているかどうかを状態検出により制御部が判定する無線部と、およびこれらを制御する制御部とにより構成し、携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致し、さらに、前記発呼者番号と発呼者番号登録データが一致したことにより、タイマー部のタイマーを起動しタイマーのタイムアウト内にパスワード確認表示を行わせるための確認指示となる選択番号をボタン操作部のボタン操作により入力し、着信が継続している場合、予め登録部に登録されている選択番号登録データと、入力した選択番号が一致ていることを制御部が判定し、両者のデータが全て一致している場合は携帯電話の表示部に登録されているパスワードを表示する制御を行い、パスワードの確認を可能とする一方、両者が一致しなかった場合、タイマーのタイムアウトした場合、または着信が継続してない場合にはパスワードの確認を無効とする。
【０１６７】
また、第６の発明の携帯電話におけるパスワード確認方法は、携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、さらにパスワード確認表示を行わせるための確認指示となる選択番号を予め選択番号登録データとしてボタン操作部のボタン操作により入力しておき、着信があった時に発呼者の電話番号を抽出する発呼者番号抽出部と、タイマーが定められた時間内にタイムアップした場合制御部に通知し時間に達したことが判る仕組みになっているタイマー部と、着信が継続しているかどうかを状態検出により制御部が判定する無線部と、およびこれらを制御する制御部とにより構成した携帯電話における携帯電話のパスワード確認方法であって、携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致し、さらに、前記発呼者番号と発呼者番号登録データが一致したことにより、タイマー部のタイマーを起動しタイマーのタイムアウト内にパスワード確認表示を行わせるための確認指示となる選択番号をボタン操作部のボタン操作により入力し、着信が継続している場合、予め登録部に登録されている選択番号登録データと、入力した選択番号が一致ていることを制御部が判定し、両者のデータが全て一致している場合は携帯電話の表示部に登録されているパスワードを表示する制御を行い、パスワードの確認を可能とする一方、両者が一致しなかった場合、タイマーのタイムアウトした場合、または着信が継続してない場合にはパスワードの確認を無効とする。
【０１６８】
また、第７の発明のプログラムは、携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、さらにパスワード確認表示を行わせるための確認指示となる選択番号を予め選択番号登録データとしてボタン操作部のボタン操作により入力しておき、着信があった時に発呼者の電話番号を抽出する発呼者番号抽出部と、タイマーが定められた時間内にタイムアップした場合制御部に通知し時間に達したことが判る仕組みになっているタイマー部と、着信が継続しているかどうかを状態検出により制御部が判定する無線部と、およびこれらを制御する制御部とにより構成した携帯電話における携帯電話のパスワード確認処理において、携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致し、さらに、前記発呼者番号と発呼者番号登録データが一致したことにより、タイマー部のタイマーを起動しタイマーのタイムアウト内にパスワード確認表示を行わせるための確認指示となる選択番号をボタン操作部のボタン操作により入力し、着信が継続している場合、予め登録部に登録されている選択番号登録データと、入力した選択番号が一致ていることを制御部が判定し、両者のデータが全て一致している場合は携帯電話の表示部に登録されているパスワードを表示する制御を行い、パスワードの確認を可能とする一方、両者が一致しなかった場合、タイマーのタイムアウトした場合、または着信が継続してない場合にはパスワードの確認を無効とする処理をコンピュータに実行させる。
【０１６９】
また、第８の発明のパスワード確認機能付き携帯電話は、携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、着信があった時に発呼者の電話番号を抽出する発呼者番号抽出部と、およびこれらを制御する制御部とにより構成し、携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致した場合は携帯電話の表示部に登録されているパスワードを表示する制御を行い、パスワードの確認を可能とする一方、両者が一致しなかった場合にはパスワードの確認を無効とする。
【０１７０】
また、第９の発明の携帯電話におけるパスワード確認方法は、携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、着信があった時に発呼者の電話番号を抽出する発呼者番号抽出部と、およびこれらを制御する制御部とにより構成した携帯電話における携帯電話のパスワード確認方法であって、携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致した場合は携帯電話の表示部に登録されているパスワードを表示する制御を行い、パスワードの確認を可能とする一方、両者が一致しなかった場合にはパスワードの確認を無効とする。
【０１７１】
また、第１０の発明のプログラムは、携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、着信があった時に発呼者の電話番号を抽出する発呼者番号抽出部と、およびこれらを制御する制御部とにより構成した携帯電話における携帯電話のパスワード確認処理において、携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致した場合は携帯電話の表示部に登録されているパスワードを表示する制御を行い、パスワードの確認を可能とする一方、両者が一致しなかった場合にはパスワードの確認を無効とする処理をコンピュータに実行させる。
【０１７２】
また、第１１の発明のパスワード確認機能付き携帯電話は、携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、着信があった時に発呼者の電話番号を抽出する発呼者番号抽出部と、およびこれらを制御する制御部とにより構成し、携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致した着信回数を制御部は計数しておき、発呼者番号と発呼者番号登録データが一致した予め決められた着信回数になった場合に携帯電話の表示部に登録されているパスワードを表示する制御を行い、パスワードの確認を可能とする一方、両者が一致しなかった場合にはパスワードの確認を無効とする。
【０１７３】
また、第１２の発明の携帯電話におけるパスワード確認方法は、携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、着信があった時に発呼者の電話番号を抽出する発呼者番号抽出部と、およびこれらを制御する制御部とにより構成した携帯電話における携帯電話のパスワード確認方法であって、携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致した着信回数を制御部は計数しておき、発呼者番号と発呼者番号登録データが一致した予め決められた着信回数になった場合に携帯電話の表示部に登録されているパスワードを表示する制御を行い、パスワードの確認を可能とする一方、両者が一致しなかった場合にはパスワードの確認を無効とする。
【０１７４】
また、第１３の発明のプログラムは、携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、着信があった時に発呼者の電話番号を抽出する発呼者番号抽出部と、およびこれらを制御する制御部とにより構成した携帯電話における携帯電話のパスワード確認処理において、携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致した着信回数を制御部は計数しておき、発呼者番号と発呼者番号登録データが一致した予め決められた着信回数になった場合に携帯電話の表示部に登録されているパスワードを表示する制御を行い、パスワードの確認を可能とする一方、両者が一致しなかった場合にはパスワードの確認を無効とする処理をコンピュータに実行させる。
【０１７５】
また、第１４の発明のパスワード確認機能付き携帯電話は、携帯電話を、パスワードを表示する表示部と、ボタン操作部と、ボタン操作部のボタン操作により入力された数字や文字を記憶する登録部と、登録部には予め電話を掛ける相手の発信先の特定の電話番号に対応する発信先電話番号を発信先電話番号登録データとしてボタン操作部のボタン操作により入力しておき、およびこれらを制御する制御部とにより構成し、予め登録部に記憶された発信先電話番号登録データの特定の電話番号に電話を掛けた場合、制御部は発信先電話番号と予め登録部に登録されている発信先電話番号登録データとを比較し、発信先電話番号と発信先電話番号登録データが一致した場合は携帯電話の表示部に登録されているパスワードを表示する制御を行い、パスワードの確認を可能とする一方、両者が一致しなかった場合にはパスワードの確認を無効とする。
【０１７６】
また、第１５の発明の携帯電話におけるパスワード確認方法は、携帯電話を、パスワードを表示する表示部と、ボタン操作部と、ボタン操作部のボタン操作により入力された数字や文字を記憶する登録部と、登録部には予め電話を掛ける相手の発信先の特定の電話番号に対応する発信先電話番号を発信先電話番号登録データとしてボタン操作部のボタン操作により入力しておき、およびこれらを制御する制御部とにより構成した携帯電話における携帯電話のパスワード確認方法であって、予め登録部に記憶された発信先電話番号登録データの特定の電話番号に電話を掛けた場合、制御部は発信先電話番号と予め登録部に登録されている発信先電話番号登録データとを比較し、発信先電話番号と発信先電話番号登録データが一致した場合は携帯電話の表示部に登録されているパスワードを表示する制御を行い、パスワードの確認を可能とする一方、両者が一致しなかった場合にはパスワードの確認を無効とする。
【０１７７】
また、第１６の発明のプログラムは、携帯電話を、パスワードを表示する表示部と、ボタン操作部と、ボタン操作部のボタン操作により入力された数字や文字を記憶する登録部と、登録部には予め電話を掛ける相手の発信先の特定の電話番号に対応する発信先電話番号を発信先電話番号登録データとしてボタン操作部のボタン操作により入力しておき、およびこれらを制御する制御部とにより構成した携帯電話における携帯電話のパスワード確認処理において、予め登録部に記憶された発信先電話番号登録データの特定の電話番号に電話を掛けた場合、制御部は発信先電話番号と予め登録部に登録されている発信先電話番号登録データとを比較し、発信先電話番号と発信先電話番号登録データが一致した場合は携帯電話の表示部に登録されているパスワードを表示する制御を行い、パスワードの確認を可能とする一方、両者が一致しなかった場合にはパスワードの確認を無効とする処理をコンピュータに実行させる。
【０１７８】
また、第１７の発明のパスワード確認機能付き携帯電話は、携帯電話を、パスワードを表示する表示部と、ボタン操作部と、ボタン操作部のボタン操作により入力された数字や文字を記憶する登録部と、登録部には予め電話を掛ける相手の発信先の特定の電話番号に対応する発信先電話番号を発信先電話番号登録データとしてボタン操作部のボタン操作により入力しておき、およびこれらを制御する制御部とにより構成し、予め登録部に記憶された発信先電話番号登録データの特定の電話番号に電話を掛けた場合、制御部は発信先電話番号と予め登録部に登録されている発信先電話番号登録データとを比較し、発信先電話番号と発信先電話番号登録データが一致した発信回数を制御部は計数しておき、発信先電話番号と発信先電話番号登録データが一致した予め決められた発信回数になった場合に携帯電話の表示部に登録されているパスワードを表示する制御を行い、パスワードの確認を可能とする一方、両者が一致しなかった場合にはパスワードの確認を無効とする。
【０１７９】
また、第１８の発明の携帯電話におけるパスワード確認方法は、携帯電話を、パスワードを表示する表示部と、ボタン操作部と、ボタン操作部のボタン操作により入力された数字や文字を記憶する登録部と、登録部には予め電話を掛ける相手の発信先の特定の電話番号に対応する発信先電話番号を発信先電話番号登録データとしてボタン操作部のボタン操作により入力しておき、およびこれらを制御する制御部とにより構成した携帯電話における携帯電話のパスワード確認方法であって、予め登録部に記憶された発信先電話番号登録データの特定の電話番号に電話を掛けた場合、制御部は発信先電話番号と予め登録部に登録されている発信先電話番号登録データとを比較し、発信先電話番号と発信先電話番号登録データが一致した発信回数を制御部は計数しておき、発信先電話番号と発信先電話番号登録データが一致した予め決められた発信回数になった場合に携帯電話の表示部に登録されているパスワードを表示する制御を行い、パスワードの確認を可能とする一方、両者が一致しなかった場合にはパスワードの確認を無効とする。
【０１８０】
また、第１９の発明のプログラムは、携帯電話を、パスワードを表示する表示部と、ボタン操作部と、ボタン操作部のボタン操作により入力された数字や文字を記憶する登録部と、登録部には予め電話を掛ける相手の発信先の特定の電話番号に対応する発信先電話番号を発信先電話番号登録データとしてボタン操作部のボタン操作により入力しておき、およびこれらを制御する制御部とにより構成した携帯電話における携帯電話のパスワード確認処理において、予め登録部に記憶された発信先電話番号登録データの特定の電話番号に電話を掛けた場合、制御部は発信先電話番号と予め登録部に登録されている発信先電話番号登録データとを比較し、発信先電話番号と発信先電話番号登録データが一致した発信回数を制御部は計数しておき、発信先電話番号と発信先電話番号登録データが一致した予め決められた発信回数になった場合に携帯電話の表示部に登録されているパスワードを表示する制御を行い、パスワードの確認を可能とする一方、両者が一致しなかった場合にはパスワードの確認を無効とする処理をコンピュータに実行させる。
【０１８１】
また、第２０の発明のパスワード確認機能付き携帯電話は、携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、さらに登録部には予め電話を掛ける相手の発信先の特定の電話番号に対応する発信先電話番号を発信先電話番号登録データとしてボタン操作部のボタン操作により入力しておき、着信があった時に発呼者の電話番号を抽出する発呼者番号抽出部と、およびこれらを制御する制御部とにより構成し、初め携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致し、次に予め登録部に記憶された発信先電話番号登録データの特定の電話番号に電話を掛けた場合、制御部は発信先電話番号と予め登録部に登録されている発信先電話番号登録データとを比較し、発信先電話番号と発信先電話番号登録データが一致した場合は、携帯電話の表示部に登録されているパスワードを表示する制御を行い、パスワードの確認を可能とする一方、両者が一致しなかった場合、または発呼者番号と発呼者番号登録データが一致し次に発信先電話番号と発信先電話番号登録データが一致する着信接続と発信接続がなかった場合にはパスワードの確認を無効とする。
【０１８２】
また、第２１の発明の携帯電話におけるパスワード確認方法は、携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、さらに登録部には予め電話を掛ける相手の発信先の特定の電話番号に対応する発信先電話番号を発信先電話番号登録データとしてボタン操作部のボタン操作により入力しておき、着信があった時に発呼者の電話番号を抽出する発呼者番号抽出部と、およびこれらを制御する制御部とにより構成した携帯電話における携帯電話のパスワード確認方法であって、初め携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致し、次に予め登録部に記憶された発信先電話番号登録データの特定の電話番号に電話を掛けた場合、制御部は発信先電話番号と予め登録部に登録されている発信先電話番号登録データとを比較し、発信先電話番号と発信先電話番号登録データが一致した場合は、携帯電話の表示部に登録されているパスワードを表示する制御を行い、パスワードの確認を可能とする一方、両者が一致しなかった場合、または発呼者番号と発呼者番号登録データが一致し次に発信先電話番号と発信先電話番号登録データが一致する着信接続と発信接続がなかった場合にはパスワードの確認を無効とするにはパスワードの確認を無効とする。
【０１８３】
また、第２２の発明のプログラムは、携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、さらに登録部には予め電話を掛ける相手の発信先の特定の電話番号に対応する発信先電話番号を発信先電話番号登録データとしてボタン操作部のボタン操作により入力しておき、着信があった時に発呼者の電話番号を抽出する発呼者番号抽出部と、およびこれらを制御する制御部とにより構成した携帯電話における携帯電話のパスワード確認処理において、初め携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致し、次に予め登録部に記憶された発信先電話番号登録データの特定の電話番号に電話を掛けた場合、制御部は発信先電話番号と予め登録部に登録されている発信先電話番号登録データとを比較し、発信先電話番号と発信先電話番号登録データが一致した場合は、携帯電話の表示部に登録されているパスワードを表示する制御を行い、パスワードの確認を可能とする一方、両者が一致しなかった場合、または発呼者番号と発呼者番号登録データが一致し次に発信先電話番号と発信先電話番号登録データが一致する着信接続と発信接続がなかった場合にはパスワードの確認を無効とする処理をコンピュータに実行させる。
【０１８４】
また、第２３の発明のパスワード確認機能付き携帯電話は、携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、さらに登録部には予め電話を掛ける相手の発信先の特定の電話番号に対応する発信先電話番号を発信先電話番号登録データとしてボタン操作部のボタン操作により入力しておき、着信があった時に発呼者の電話番号を抽出する発呼者番号抽出部と、およびこれらを制御する制御部とにより構成し、初め携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致し、次に予め登録部に記憶された発信先電話番号登録データの特定の電話番号に電話を掛けた場合、制御部は発信先電話番号と予め登録部に登録されている発信先電話番号登録データとを比較し、発信先電話番号と発信先電話番号登録データが一致する着信発信回数を制御部は計数しておき、発呼者番号と発呼者番号登録データが一致し次に発信先電話番号と発信先電話番号登録データが一致する予め決められた着信発信回数になった場合に携帯電話の表示部に登録されているパスワードを表示する制御を行い、パスワードの確認を可能とする一方、両者が一致しなかった場合、または発呼者番号と発呼者番号登録データが一致し次に発信先電話番号と発信先電話番号登録データが一致する交互に一致する着信接続と発信接続が連続しなかったがなかった場合にはパスワードの確認を無効とする。
【０１８５】
また、第２４の発明の携帯電話におけるパスワード確認方法は、携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、さらに登録部には予め電話を掛ける相手の発信先の特定の電話番号に対応する発信先電話番号を発信先電話番号登録データとしてボタン操作部のボタン操作により入力しておき、着信があった時に発呼者の電話番号を抽出する発呼者番号抽出部と、およびこれらを制御する制御部とにより構成した携帯電話における携帯電話のパスワード確認方法であって、初め携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致し、次に予め登録部に記憶された発信先電話番号登録データの特定の電話番号に電話を掛けた場合、制御部は発信先電話番号と予め登録部に登録されている発信先電話番号登録データとを比較し、発信先電話番号と発信先電話番号登録データが一致する着信発信回数を制御部は計数しておき、発呼者番号と発呼者番号登録データが一致し次に発信先電話番号と発信先電話番号登録データが一致する予め決められた着信発信回数になった場合に携帯電話の表示部に登録されているパスワードを表示する制御を行い、パスワードの確認を可能とする一方、両者が一致しなかった場合、または発呼者番号と発呼者番号登録データが一致し次に発信先電話番号と発信先電話番号登録データが一致する交互に一致する着信接続と発信接続が連続しなかったがなかった場合にはパスワードの確認を無効とする。
【０１８６】
また、第２５の発明のプログラムは、携帯電話を、パスワードを表示する表示部と、ボタン操作部と、ボタン操作部のボタン操作により入力された数字や文字を記憶する登録部と、登録部には予め特定の電話番号に対応する発呼者の電話番号を発呼者番号登録データとしてボタン操作部のボタン操作により入力しておき、さらに登録部には予め電話を掛ける相手の発信先の特定の電話番号に対応する発信先電話番号を発信先電話番号登録データとしてボタン操作部のボタン操作により入力しておき、着信があった時に発呼者の電話番号を抽出する発呼者番号抽出部と、およびこれらを制御する制御部とにより構成した携帯電話における携帯電話のパスワード確認処理において、初め携帯電話の着信時に発呼者の電話番号を抽出する発呼者番号抽出部により抽出される発呼者の電話番号である発呼者番号と予め登録部に登録されている発呼者番号登録データとを比較し、発呼者番号と発呼者番号登録データが一致し、次に予め登録部に記憶された発信先電話番号登録データの特定の電話番号に電話を掛けた場合、制御部は発信先電話番号と予め登録部に登録されている発信先電話番号登録データとを比較し、発信先電話番号と発信先電話番号登録データが一致する着信発信回数を制御部は計数しておき、発呼者番号と発呼者番号登録データが一致し次に発信先電話番号と発信先電話番号登録データが一致する予め決められた着信発信回数になった場合に携帯電話の表示部に登録されているパスワードを表示する制御を行い、パスワードの確認を可能とする一方、両者が一致しなかった場合、または発呼者番号と発呼者番号登録データが一致し次に発信先電話番号と発信先電話番号登録データが一致する交互に一致する着信接続と発信接続が連続しなかったがなかった場合にはパスワードの確認を無効とする処理をコンピュータに実行させる。
【０１８７】
【発明の実施の形態】
本発明の特徴は、携帯電話を利用する上で機密保護の手段として一般的に広く用いられているパスワードを用いた照合方法において、機密性を損ねることなく容易な方法により携帯電話に登録されているパスワードを確認することが可能となる機能を提供することで、使用上における便宜性の改善をはかることを目的としている。
【０１８８】
次に、本発明の第１の実施の形態について図面を参照して説明する。
【０１８９】
図１は本発明のパスワード確認機能付き携帯電話と携帯電話におけるパスワード確認方法およびプログラムの一実施の形態を示すブロック図である。
【０１９０】
図２は本発明のパスワード確認機能付き携帯電話と携帯電話におけるパスワード確認方法およびプログラムの一実施の形態の携帯電話の外観図である。
図１を参照すると、本発明による携帯電話１００の主要な構成は、携帯電話１００のボタン操作により入力された数字や文字を記憶する登録部４と、着信があった時に発呼者の電話番号を抽出する発呼者番号抽出部２、およびこれらを制御する制御部１により構成されている。
【０１９１】
本発明の携帯電話１００におけるパスワードの確認方法は、携帯電話１００の着信時に発呼者の電話番号を抽出する発呼者番号抽出部２により抽出される発呼者の電話番号である発呼者番号と予め登録部４に登録されている発呼者番号登録データとを比較し、両者が一致し、さらに、前記発呼者番号と発呼者番号登録データが一致したことによりパスワード確認表示を行わせるための確認指示となる選択番号を入力し、登録部４に登録されている選択番号登録データと、入力した選択番号が一致ていることを制御部１が判定し、両者のデータが全て一致している場合は携帯電話１００の表示部３に登録されているパスワードを表示する制御を行い、パスワードの確認を可能とする一方、両者が一致しなかった場合にはパスワードの確認を無効とすることにより実現している。
【０１９２】
このパスワード表示の確認方法について図３を用いて説明する。
【０１９３】
図３は本発明のパスワード確認機能付き携帯電話と携帯電話におけるパスワード確認方法およびプログラムの一実施の形態の制御概要を示す構成図である。
【０１９４】
図３によると、登録部４には予め使用者が登録した発呼者番号登録データ（本実施の形態では「０３−１２３４−５６７８」）と選択番号登録データ（本実施の形態では「＊」）が記憶されている。
【０１９５】
次に携帯電話１００に登録されているパスワードを、確認のために表示させる方法について説明する。
【０１９６】
まず、使用者は登録部４に登録されている発呼者番号データ（本実施の形態では「０３−１２３４−５６７８」）と同一番号の特定の電話（自宅の自分用の個人電話機や予め自分に親密に連絡できる電話機等）から、パスワードの確認を行わせる使用者の携帯電話１００に発呼し着信させる。
【０１９７】
すると、この携帯電話１００では発呼者番号抽出部２により抽出された前記特定の電話の発呼者番号が制御部１に通知される。
【０１９８】
また、同時に使用者はボタン部６を操作して選択番号（本実施の形態では「＊」）を押下することにより、このボタン情報（本実施の形態では「＊」）が制御部１に入力される。
【０１９９】
制御部１では登録部４に記憶されている発呼者番号登録データ（本実施の形態では「０３−１２３４−５６７８」）、および選択番号登録データ（本実施の形態では「＊」）と、制御部１は、前記、発呼者番号、および選択番号が一致していることを判定し、両者のデータが全て一致している場合は携帯電話１００の表示部３に登録されているパスワードを表示する制御を行う。
【０２００】
一方、両者のデータが一致しない場合はパスワードを表示せずに処理を終了させる。
【０２０１】
次に、本発明の実施の形態の動作について、図１、図２、図３、および図４を参照して詳細に説明する。
【０２０２】
図４は本発明のパスワード確認機能付き携帯電話と携帯電話におけるパスワード確認方法およびプログラムの一実施の形態の動作を示す流れ図である。
【０２０３】
まず、図１を使用して説明する。
【０２０４】
携帯電話１００のボタン部６の操作により入力されたボタン情報は、制御部１により検出される。また、登録部４は、使用者がボタン部６の操作により入力した発呼者番号、および選択番号のデータが制御部１の制御により登録される。
【０２０５】
携帯電話１００が基地局（図示されてない）からの着信信号をアンテナ１２を経て無線部７にて受信すると、無線部７ではこの無線信号の復調を行い、更にベースバンド処理部８を通して無線信号の中から報知情報がデータ化される。
【０２０６】
このデータ化された報知情報に付加されている呼設定情報の中から発呼者番号の抽出を発呼者番号抽出部２が行い制御部１に通知する。
【０２０７】
ここで、通常の携帯電話１００による通信を行う通話は、ベースバンド処理部８を通して、無線信号と音声の変換を行い、または音声信号部９にて音声信号の変換を行い、受話器１０、および送話器１１が通常の携帯電話１００による通話に使用されるものである。
【０２０８】
タイマー部５は、制御部１によって制御されるタイマーであり制御部１によって起動、停止の制御が行われる。
【０２０９】
タイマー部５のタイマーが定められた時間内にタイムアップした場合、制御部１に通知し時間に達したことが判る仕組みになっている。
【０２１０】
また、制御部１は表示部３に数字や文字を表示させる制御を行う。
【０２１１】
図１の表示部５、ボタン部６、受話器１０、および送話器１１は図２に示す表示部５、ボタン部６、受話器１０、および送話器１１のように構成させている。
【０２１２】
ここで使用者が携帯電話１００に登録されているパスワードを表示させる方法について、図４の本発明のパスワード確認機能付き携帯電話と携帯電話におけるパスワード確認方法およびプログラムの一実施の形態の動作を示す流れ図を用いて説明する。
【０２１３】
登録部４には使用者がボタン部６の操作によって入力された発呼者番号登録データである「０３−１２３４−５６７８」が、また選択番号として「＊」が各々登録されている。
【０２１４】
次に、使用者がパスワードを確認する方法について説明する。
【０２１５】
まず、使用者は発呼者番号登録データと同一番号の特定の電話から、パスワードの確認を行わせる携帯電話１００に発呼し着信をかける（ステップＳ０）と、この携帯電話１００の発呼者番号抽出部２から前記特定の電話の発呼者番号が制御部１に通知される。
【０２１６】
制御部１ではこの抽出された発呼者番号が登録部４に登録されている発呼者番号登録データと同一であるか判定（ステップＳ１）を行い、この発呼者番号が異なっていた場合は（ステップＳ１のＮｏ）タイマー部５のタイマーを停止し（ステップＳ１０）、通常の着信処理（ステップＳ１３）となるが、この発呼者番号が一致した場合には（ステップＳ１のＹｅｓ）タイマー部５のタイマーの起動を行うと共に（ステップＳ２）、ボタン部６のボタン押下の検出を行う（ステップＳ３およびステップＳ４）。
【０２１７】
ここで使用者がボタン押下を一定時間の間に行わなかった場合（例えば携帯電話１００の着信から２秒間以内にボタン押下がなかった場合ステップＳ３のＹｅｓ）、タイマー部５からのタイムアウトを制御部１が受け、起動しているタイマーを停止（ステップＳ１０）すると共に通常の着信処理（ステップＳ１３）の制御を行う。
【０２１８】
次にタイムアウト前にボタンが押下された場合（ステップＳ４のＹｅｓ）、制御部１では着信が継続していることを無線部７の状態検出（ステップＳ５）により判定する。
【０２１９】
着信がまだ継続中で（ステップＳ５のＹｅｓ）、かつ押下されたボタン情報が登録部４に記憶されている選択番号と一致した場合（ステップＳ６のＹｅｓ）、制御部１は、この携帯電話１００に登録されているパスワードを表示部３に一定時間表示（ステップＳ７）させ、タイマの起動を停止（ステップＳ８）し、処理を終了（ステップＳ１１）する。
【０２２０】
また、着信がまだ継続中で（ステップＳ５のＹｅｓ）、かつ押下されたボタン情報が登録部４に記憶されている選択番号と一致しなかった場合（ステップＳ６のＮｏ）は、タイマの起動を停止（ステップＳ９）し、処理を終了（ステップＳ１２）する。
【０２２１】
他方、この携帯電話１００の着信が完了していた場合は（ステップＳ５のＮｏ）、表示は何も行わずタイマーの起動を停止（ステップＳ８）し、本処理を終了（ステップＳ１１）する。
【０２２２】
このように、本発明の制御によると特定の電話からの着信と選択ボタンが一致した場合にだけパスワードを表示することが可能となり、それ以外の場合は通常の着信として処理されることとなる。
【０２２３】
このため、発呼者番号が一致する特定の電話からの着信であっても、選択ボタンが誤っていた場合はパスワードの表示を拒絶することができ、最小限パスワードの機密性を保護することが可能となる。
【０２２４】
以上のパスワード確認の表示はあくまでも着信に対して、応答をしない未応答状態で実現するもので、着信に応答してしまった場合はパスワード確認表示は行わない。
【０２２５】
次に、本発明の第２の実施の形態について、詳細に説明する。
【０２２６】
本発明の第２の実施の形態は、前記本発明の第１の実施の形態についてのパスワード確認動作において、使用者は登録部４に登録されている発呼者番号データと同一番号の特定の電話から、パスワードの確認を行わせる使用者の携帯電話１００に発呼し着信させる。
【０２２７】
すると、この携帯電話１００では発呼者番号抽出部２により抽出された前記特定の電話の発呼者番号が制御部１に通知される。
【０２２８】
制御部１は抽出された発呼者番号と予め登録部４に登録されている発呼者番号登録データとを比較し、両者が一致したことで、使用者はボタン部６を操作して第１の実施の形態の選択番号を用いる代わりにパスワード確認の表示を行わせる予め設定した指示ボタンを押下することでパスワード確認の表示を行わせるようにするものである。
【０２２９】
使用者は登録部４に発呼者番号登録データだけを登録し、登録した発呼者番号を持つ特定の電話機から携帯電話１００に発呼するだけでパスワード確認の表示を行わせることができる。
【０２３０】
また、パスワード確認の表示を行わせる場合、着信毎でなく、着信がある回数に達したとき、パスワード確認の表示を行わせるようにしてもよい。
【０２３１】
また、次に、本発明の第３の実施の形態について、詳細に説明する。
【０２３２】
本発明の第３の実施の形態は、前記本発明の第１の実施の形態についてのパスワード確認動作において、携帯電話１００の登録部４に電話を掛ける相手の発信先の特定の電話機の電話番号を予め発信先電話番号登録データとして登録しておき、パスワード確認したい携帯電話１００からこの登録されている発信先電話番号に発呼した場合、制御部１は発信先電話番号と予め登録部４に登録されている発信先電話番号登録データとを比較し、両者が一致したことでパスワード確認の表示を行わせるものである。
【０２３３】
使用者は登録部４に発信先電話番号登録データだけを登録し、携帯電話１００から登録した発信先電話番号を持つ特定の電話機に電話を掛けることによりパスワード確認の表示を行わせることができる。
【０２３４】
また、パスワード確認の表示を行わせる場合、発呼毎でなく、発呼がある回数に達したとき、パスワード確認の表示を行わせるようにしてもよい。
【０２３５】
また、次に、本発明の第４の実施の形態について、詳細に説明する。
【０２３６】
本発明の第４の実施の形態は、前記本発明の第１の実施の形態についてのパスワード確認動作において、携帯電話１００の登録部４に、電話を掛けてくる発呼者の特定の電話機の電話番号を予め発呼者番号登録データとして、さらに、電話を掛ける相手の発信先の特定の電話機の電話番号を予め発信先電話番号登録データとして登録しておき、登録された電話番号の特定の電話からパスワード確認したい携帯電話１００への着信と、パスワード確認したい携帯電話１００から登録された電話番号の特定の電話へ発呼を、交互に行うことにより、それぞれの動作により、登録されている電話番号と番号登録データとを比較し、両者が一致したことでパスワード確認の表示を行わせるものである。
【０２３７】
また、パスワード確認の表示を行わせる場合、着信と発呼が、交互に行われる度でなく、着信と発呼がある回数に達したとき、パスワード確認の表示を行わせるようにしてもよい。
【０２３８】
以上のようにパスワード確認の表示を行う場合、基本的には使用者自身もしくは家族等の限られた者しか使用し得ないとか、自分しか任意には使用できない個人の電話、即ち、事前に使用者にしかわからない特定の電話機から着信させることと、また特定の電話機へ発呼することで、機密性の高いパスワード確認ができる。
【０２３９】
【発明の効果】
以上説明したように、本発明のパスワード確認機能付き携帯電話と携帯電話におけるパスワード確認方法およびプログラムは、
第１の効果は、パスワードを忘れてしまっても、パスワードの機密性を損ねることなく容易にパスワードが確認することができ、使用上の便宜性の改善をはかることができる。
【０２４０】
その理由は、パスワード確認の表示を行う場合、基本的には使用者自身もしくは家族等の限られた者しか使用し得ないとか、自分しか任意には使用できない個人の電話、即ち、事前に使用者にしかわからない特定の電話機から着信させることと、また特定の電話機へ発呼することで、機密性の高いパスワード確認を行うからである。
【図面の簡単な説明】
【図１】本発明のパスワード確認機能付き携帯電話と携帯電話におけるパスワード確認方法およびプログラムの一実施の形態を示すブロック図である。
【図２】本発明のパスワード確認機能付き携帯電話と携帯電話におけるパスワード確認方法およびプログラムの一実施の形態の携帯電話の外観図である。
【図３】本発明のパスワード確認機能付き携帯電話と携帯電話におけるパスワード確認方法およびプログラムの一実施の形態の制御概要を示す構成図である。
【図４】本発明のパスワード確認機能付き携帯電話と携帯電話におけるパスワード確認方法およびプログラムの一実施の形態の動作を示す流れ図である。
【符号の説明】
１    制御部
２    発呼者番号抽出部
３    表示部
４    登録部
５    タイマー部
６    ボタン部
７    無線部
８    ベースバンド処理部
９    音声信号部
１０    受話器
１１    送話器
１２    アンテナ
１００    携帯電話
【図１】
2004297288.tif 000003
【図２】
2004297288.tif 000004
【図３】
2004297288.tif 000005
【図４】
2004297288.tif 000006